(57)【要約】  本開示は、５Ｇ通信技術及びＩｏＴ関連技術を基盤で知能型サービス(例えば、スマートホーム、スマートビルディング、スマートシティ、スマートカー又はコネクテッドカー、ヘルスケア、デジタル教育、小売り業、保安及び安全関連サービスなど）に適用されることができる。本発明の実施例によれば無線通信システムで端末の方法は、基地局からパケット重複送信に対する設定を受信する段階と、前記設定によって同一なパケットを互いに異なるロジカルチャンネルを介して基地局に送信する段階と、予め定められた条件を満足する場合、予め送信されたパケットを破棄してパケット重複送信時点を同期化する段階と、を含むことを特徴とする。
2021527990.tif 000002
【特許請求の範囲】
【請求項１】
無線通信システムで端末の方法であって、
基地局からパケット重複送信に対する設定を受信する段階と、
前記設定によって同一なパケットを互いに異なるロジカルチャンネルを介して基地局に送信する段階と、
予め定められた条件を満足する場合、予め送信されたパケットを破棄してパケット重複送信時点を同期化する段階と、を含むことを特徴とする方法。
【請求項２】
前記予め定められた条件を満足する場合は、
タイマーが満了される場合又は前記端末の第１無線リンク制御(ｒａｄｉｏ ｌｉｎｋ ｃｏｎｔｒｏｌ：ＲＬＣ)エンティティーで送信されたパケット及び第２ＲＬＣエンティティーで送信されたパケットのシーケンス番号の差がしきい値を超過する場合のうちの少なくとも一つを含むことを特徴とする、請求項１に記載の方法。
【請求項３】
前記同一なパケットを送信する段階は、
前記同一なパケットを第１ＲＬＣエンティティーに相応するロジカルチャンネル及び第２ＲＬＣエンティティーに相応するロジカルチャンネルを介して前記基地局に送信する段階を含むことを特徴とする、請求項１に記載の方法。。
【請求項４】
前記シーケンス番号の差は予め決定されたマッピングテーブルに基づいて決定されることを特徴とする、請求項２に記載の方法。
【請求項５】
前記同期化段階は、
前記端末のパケットデータ収束プロトコル(ｐａｃｋｅｔ ｄａｔａ ｃｏｎｖｅｒｇｅｎｃｅ ｐｒｏｔｏｃｏｌ)エンティティーの送信ウィンドウの開始点に基づいて前記端末のＲＬＣエンティティーの送信ウィンドウを移動させる段階を含むことを特徴とする、請求項１に記載の方法。
【請求項６】
前記同一なパケットを送信する段階は、
前記パケット重複送信が活性化される場合に行われることを特徴とし、
前記パケット重複送信は媒体接続制御(ｍｅｄｉａ ａｃｃｅｓｓ ｃｏｎｔｒｏｌ：ＭＡＣ)制御情報に基づいて活性化されることを特徴とする、請求項１に記載の方法。
【請求項７】
前記パケット重複送信に対する設定を受信する段階は、
２つのＲＬＣエンティティーに対する設定情報及び前記２つのＲＬＣエンティティーに係るＰＤＣＰエンティティー設定情報を受信することを特徴とする、請求項１に記載の方法。
【請求項８】
無線通信システムで端末であって、
送受信部と、及び
基地局からパケット重複送信に対する設定を受信し、
前記設定によって同一なパケットを互いに異なるロジカルチャンネルを介して基地局に送信し、
予め定められた条件を満足する場合、予め送信されたパケットを破棄してパケット重複送信時点を同期化する制御部と、を含むことを特徴とする端末。
【請求項９】
前記予め定められた条件を満足する場合は、
タイマーが満了される場合又は前記端末の第１無線リンク制御(ｒａｄｉｏ ｌｉｎｋ ｃｏｎｔｒｏｌ：ＲＬＣ)エンティティーで送信されたパケット及び第２ＲＬＣエンティティーで送信されたパケットのシーケンス番号の差がしきい値を超過する場合のうちの少なくとも一つを含むことを特徴とする、請求項８に記載の端末。
【請求項１０】
前記制御部は、前記同一なパケットを第１ＲＬＣエンティティーに相応するロジカルチャンネル及び第２ＲＬＣエンティティーに相応するロジカルチャンネルを介して前記基地局に送信する段階を含むことを特徴とする、請求項８に記載の端末。
【請求項１１】
前記シーケンス番号の差は予め定められたマッピングテーブルに基づいて決定されることを特徴とする、請求項９に記載の端末。
【請求項１２】
前記制御部は、
前記端末のパケットデータ収束プロトコル(ｐａｃｋｅｔ ｄａｔａ ｃｏｎｖｅｒｇｅｎｃｅ ｐｒｏｔｏｃｏｌ)エンティティーの送信ウィンドウの開始点に基づいて前記端末のＲＬＣエンティティーの送信ウィンドウを移動させることを特徴とする、請求項９に記載の端末。
【請求項１３】
前記制御部は、
前記パケット重複送信が活性化される場合に重複送信を行うことを特徴とし、
前記パケット重複送信は媒体接続制御(ｍｅｄｉａ ａｃｃｅｓｓ ｃｏｎｔｒｏｌ：ＭＡＣ)制御情報に基づいて活性化されることを特徴とする、請求項９に記載の端末。
【請求項１４】
前記制御部は、
２つのＲＬＣエンティティーに対する設定情報及び前記２つのＲＬＣエンティティーに係るＰＤＣＰエンティティー設定情報を受信することを特徴とする、請求項９に記載の端末。
【発明の詳細な説明】
【技術分野】
【０００１】
本発明は、移動通信システムに関し、より具体的に次世代移動通信システムで効率的なパケット重複送信をサポートする方法及び装置に関する。
【背景技術】
【０００２】
４Ｇ通信システムの商用化以後に増加趨勢にある無線データトラフィック需要を満たすため、改善された５Ｇ通信システム又はｐｒｅ−５Ｇ通信システムを開発するための努力が成りつつある。このような理由で、５Ｇ通信システム又はｐｒｅ−５Ｇ通信システムは４Ｇネットワーク以後(Ｂｅｙｏｎｄ ４Ｇ Ｎｅｔｗｏｒｋ)通信システム又はＬＴＥシステム以後(Ｐｏｓｔ ＬＴＥ)の通信システムと呼ばれている。高いデータ送信率を達成するために、５Ｇ通信システムは超高周波(ｍｍＷａｖｅ)帯域(例えば、６０ＧＨｚ帯域のような)での具現が考慮されている。超高周波帯域での電波の経路損失の緩和及び電波の伝達距離を増加させるために、５Ｇ通信システムではビームフォーミング(ｂｅａｍｆｏｒｍｉｎｇ)、巨大配列多重入出力(ｍａｓｓｉｖｅ ＭＩＭＯ)、全次元多重入出力(Ｆｕｌｌ Ｄｉｍｅｎｓｉｏｎａｌ ＭＩＭＯ：ＦＤ−ＭＩＭＯ)、アレイアンテナ(ａｒｒａｙ ａｎｔｅｎｎａ)、アナログビームフォーミング(ａｎａｌｏｇ ｂｅａｍ−ｆｏｒｍｉｎｇ)、及び大規模アンテナ(ｌａｒｇｅ ｓｃａｌｅ ａｎｔｅｎｎａ)技術が論議されている。さらに、システムのネットワーク改善のために、５Ｇ通信システムでは進化された小型セル、改善した小型セル(ａｄｖａｎｃｅｄ ｓｍａｌｌ ｃｅｌｌ)、クラウド無線アクセスネットワーク(ｃｌｏｕｄ ｒａｄｉｏ ａｃｃｅｓｓ ｎｅｔｗｏｒｋ：ｃｌｏｕｄ ＲＡＮ)、超高密度ネットワーク(ｕｌｔｒａ−ｄｅｎｓｅ ｎｅｔｗｏｒｋ)、機器間の通信(Ｄｅｖｉｃｅ ｔｏ Ｄｅｖｉｃｅ ｃｏｍｍｕｎｉｃａｔｉｏｎ：Ｄ２Ｄ)、無線バックホール(ｗｉｒｅｌｅｓｓ ｂａｃｋｈａｕｌ)、移動ネットワーク(ｍｏｖｉｎｇ ｎｅｔｗｏｒｋ)、協力通信(ｃｏｏｐｅｒａｔｉｖｅ ｃｏｍｍｕｎｉｃａｔｉｏｎ)、ＣｏＭＰ(Ｃｏｏｒｄｉｎａｔｅｄ Ｍｕｌｔｉ−Ｐｏｉｎｔｓ)、及び受信干渉除去(ｉｎｔｅｒｆｅｒｅｎｃｅ ｃａｎｃｅｌｌａｔｉｏｎ)などの技術開発が成りつつある。この以外にも、５Ｇシステムでは進歩されたコーディング変調(Ａｄｖａｎｃｅｄ Ｃｏｄｉｎｇ Ｍｏｄｕｌａｔｉｏｎ：ＡＣＭ)方式であるＦＱＡＭ(Ｈｙｂｒｉｄ ＦＳＫ ａｎｄ ＱＡＭ Ｍｏｄｕｌａｔｉｏｎ)及びＳＷＳＣ(Ｓｌｉｄｉｎｇ Ｗｉｎｄｏｗ Ｓｕｐｅｒｐｏｓｉｔｉｏｎ Ｃｏｄｉｎｇ)と、進歩された接続技術であるＦＢＭＣ(Ｆｉｌｔｅｒ Ｂａｎｋ Ｍｕｌｔｉ Ｃａｒｒｉｅｒ)、ＮＯＭＡ(ｎｏｎ ｏｒｔｈｏｇｏｎａｌ ｍｕｌｔｉｐｌｅ ａｃｃｅｓｓ)、及びＳＣＭＡ(ｓｐａｒｓｅ ｃｏｄｅ ｍｕｌｔｉｐｌｅ ａｃｃｅｓｓ)などが開発されている。
【０００３】
一方、インターネットは人間が情報を生成して消費する人間中心の接続網から事物などの分散された構成要素の間に情報を取り交わして処理するＩｏＴ(Ｉｎｔｅｒｎｅｔ ｏｆ Ｔｈｉｎｇｓ、事物インターネット)網に進化しつつある。クラウドサーバーなどとの接続を通じるビックデータ(Ｂｉｇｄａｔａ)処理技術などがＩｏＴ技術に結合されたＩｏＥ(Ｉｎｔｅｒｎｅｔ ｏｆ Ｅｖｅｒｙｔｈｉｎｇ)技術も台頭されている。ＩｏＴを具現するために、センシング技術、有無線通信及びネットワークインフラ、サービスインターフェース技術、及び保安技術のような技術要素が要求され、最近には事物間の接続のためのセンサーネットワーク(ｓｅｎｓｏｒ ｎｅｔｗｏｒｋ)、マシンツーマシン(Ｍａｃｈｉｎｅｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が研究されている。ＩｏＴ環境では接続された事物で生成されたデータを収集、分析して人間の生活に新しい価値を創出する知能型ＩＴ(Ｉｎｔｅｒｎｅｔ Ｔｅｃｈｎｏｌｏｇｙ)サービスが提供されることができる。ＩｏＴは既存のＩＴ(ｉｎｆｏｒｍａｔｉｏｎ ｔｅｃｈｎｏｌｏｇｙ)技術と多様な産業間の融合及び複合を介してスマートホーム、スマートビルディング、スマートシティ、スマートカー又はコネクテッドカー、スマートグリッド、ヘルスケア、スマート家電、先端医療サービスなどの分野に応用されることができる。
【０００４】
これによって、５Ｇ通信システムをＩｏＴ網に適用するための多様な試みが行われた。
センサーネットワーク(ｓｅｎｓｏｒ ｎｅｔｗｏｒｋ)、マシンツーマシン(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が５Ｇ通信技術がビームフォーミング、ＭＩＭＯ、及びアレイアンテナなどの技法によって具現されていることである。前述したビックデータ処理技術としてクラウド無線アクセスネットワーク(ｃｌｏｕｄ ＲＡＮ)が適用されることも５Ｇ技術とＩｏＴ技術の間のコンバージェンスの一例とすることができる。
【０００５】
一方、次世代移動通信システムではパケット重複送信(ｐａｃｋｅｔ ｄｕｐｌｉｃａｔｉｏｎ）を介して低い送信遅延をサポートして高い信頼性を保障することができる。ただ、送信リソースの浪費を発生する問題があり、これを解決するための方法が必要な実情である。
【０００６】
上述した情報は本開示の理解を助けるために背景情報として提示される。本開示に係って前記内容のうちのいずれかが本開示に係って先行技術として適用されるか否かについては、何の決定もされておらず、主張もされていない。
【発明の概要】
【発明が解決しようとする課題】
【０００７】
次世代移動通信システムではより低い送信遅延をサポートしてより高い信頼性を保障するためにパケット重複送信をアップリンクとダウンリンクに適用して用いることができる。しかし、パケット重複送信は同一なパケットを重複して送信するから送信リソースを浪費することもでき、データを重複してプロセッシングしなければならない問題がある。
【０００８】
本開示の一実施例によれば、前記言及された問題点及び／又は短所を解決して少なくとも後述される利点を提供することを特徴とする。したがって、本発明は上述した問題点を解決するために効率的にパケット重複送信を操作するためのトランスミッタのプロセッシング方法と基地局でパケット重複送信を応用して効率的に端末に低い送信遅延と高い信頼性を提供する方法などを提案する。
【０００９】
さらに、本開示の追加的な実施例は以下の詳細な説明で部分的に説明され、詳細な説明の部分的な説明から明白で、提示された実施例の実行によって学習されることができる。
【課題を解決するための手段】
【００１０】
前記のような問題点を解決するための本発明の端末の方法であって、基地局からパケット重複送信に対する設定を受信する段階と、前記設定によって同一なパケットを互いに異なるロジカルチャンネルを介して基地局に送信する段階と、予め定められた条件を満足する場合、予め送信されたパケットを破棄してパケット重複送信時点を同期化する段階と、を含むことを特徴とする。
【００１１】
また、前記のような問題点を解決するための本発明の端末であって、送受信部と、及び基地局からパケット重複送信に対する設定を受信し、前記設定によって同一なパケットを互いに異なるロジカルチャンネルを介して基地局に送信し、予め定められた条件を満足する場合、予め送信されたパケットを破棄してパケット重複送信時点を同期化する制御部と、を含むことを特徴とする。
【発明の効果】
【００１２】
本発明の実施例によれば、次世代移動通信システムでパケット重複送信を効率的に処理することができるトランスミッタのパケット重複データ処理方法を提案して送信リソースの浪費を防止して不必要なデータプロセッシングを防止する。また、パケット重複送信を応用して基地局がデータ送信率を高め、低い送信遅延と高い信頼性を有する制御情報を端末に伝達する。
【００１３】
本開示他の実施例、利点及び顕著な特徴は添付された図面と共にに本開示の多様な実施例を開示する次の詳細な説明から通常の技術者に明らかになるだろう。
【図面の簡単な説明】
【００１４】
本開示の特定実施例の上述した他の態様、特徴及び利点は添付された図面と共に次の説明からより明らかになるだろう。
【図１】本発明の一実施例によるＬＴＥシステムの構造を示す図面である。
【図２】本発明の一実施例によるＬＴＥシステムで無線プロトコル構造を示した図面である。
【図３】本発明の一実施例による次世代移動通信システムの構造を示す図面である。
【図４】本発明の一実施例による次世代移動通信システムの無線プロトコル構造を示した図面である。
【図５】本開示の一実施例による次世代移動通信システムで本発明の端末がネットワークと接続を設定する時の基地局とＲＲＣ接続設定を行う手続きを示した図面である。
【図６】本発明の一実施例による次世代移動通信システムでデータ先処理を行う手続きを示した図面である。
【図７】本発明の一実施例による次世代移動通信システムでパケット重複送信が設定されて活性化及び非活性化状態で行われる手続きを示した図面である。
【図８】本開示の一実施例によってパケット重複送信を適用する場合、データ先処理を行う方法を示す図面である。
【図９】本開示の一実施例によってＲＬＣ ＡＭベアラーにパケット重複送信が適用された場合、データ先処理を用いる時の発生することができる問題を示した図面である。
【図１０】本開示の一実施例による２段階データ処理手続きの第１実施例を示した図面である。
【図１１】本開示の一実施例による２段階データ処理手続きの第１実施例を示した図面である。
【図１２】本開示の一実施例による２段階データ処理手続きの第２実施例を示した図面である。
【図１３】本開示の一実施例によって図１０乃至１２で説明したパケット重複送信方法を行うトランスミッタの動作を示した図面である。
【図１４】本開示の一実施例によってパケット重複送信を用いた時の２つのＲＬＣ階層装置又は２つのデータ送信リンクで発生することができる送信タイミングの不一致を示した図面である。
【図１５】本開示の一実施例によってＲＬＣ ＵＭモードでパケット重複送信を用いる時の発生することができる重複送信時点差の問題を解決するための第１実施例を示した図面である。
【図１６】本開示の一実施例によって図１４で説明したＲＬＣ ＵＭモードでパケット重複送信を用いる時の発生することができる重複送信時点差の問題を解決するための第２実施例を示した図面である。
【図１７】本開示の一実施例によって図１５及び図１６で説明したパケット重複送信時点の同期化方法を行う端末動作を示した図面である。
【図１８】本開示の一実施例によってベアラーのデータ送信率を高める方法を示した図面である。
【図１９Ａ】本開示の一実施例によってパケット重複送信が設定されたベアラーに他のデータを送信してベアラーのデータ送信率を高める方法を示した図面である。
【図１９Ｂ】本開示の一実施例によってパケット重複送信が設定されたベアラーに他のデータを送信してベアラーのデータ送信率を高める方法を示した図面である。
【図２０】本開示の一実施例によって次世代移動通信システムでサポートするＭＡＣ ＰＤＵの構造を示す図面である。
【図２１】本開示の一実施例によって基地局がＭＡＣ制御情報を重複して送信する方法を示した図面である。
【図２２】本開示の一実施例によって基地局がＭＡＣ制御情報を重複して送信する方法を示したフローチャートである。
【図２３】本開示の一実施例による端末の構造を図示した。
【図２４】本開示の一実施例による無線通信システムでＴＲＰのブロック構成を図示する。
【００１５】
図面全体にかけて、同一な参照番号は同一又は類似の要素、特徴及び構造を示すのに用いられるということが理解されるだろう。
【発明を実施するための形態】
【００１６】
添付された図面を参照した以下の説明は請求範囲及びその均等物によって定義された本開示の多様な実施例の包括的な理解を助けるために提供される。その理解を助けるための多様な特定詳細事項を含むが、これらはただ例示的なことで見なされる。したがって、本開示の範囲及び思想を逸脱しない限り本明細書で説明された多様な実施例の多様な変更及び修正が成ることができることは通常の技術者に自明である。さらに、よく知られた機能及び構造に対する説明は明瞭性及び簡潔性のために省略されることができる。
【００１７】
以下の説明及び請求範囲で用いられた用語及び単語は文言的な意味に限定されず、本開示内容の明確でかつ一貫された理解を可能にするために発明者によって用いられる用語であれば良い。したがって、本開示の多様な実施例に対する次の説明は添付された請求範囲及びこの均等物によって定義された内容を制限する目的ではなくただ、例示の目的で提供されるということは通常の技術者に明白である。
【００１８】
単数形式“ａ”、“ａｎ”及び“ｔｈｅ”は文脈が明白に異なるように指示しない限り複数対象を含むことが理解されることができる。したがって、例えば、“構成要素表面”に対する言及はこのような表面のうちの一つ以上に対する言及を含むことができる。
【００１９】
以下で本開示を説明するにおいて関連される公知構成又は機能に対する具体的な説明が本開示の要旨を不必要にすることができると判断される場合にはその詳細な説明を省略する。以下、添付された図面を参照して本開示の実施例を説明する。
【００２０】
以下、説明で用いられる接続ノード（ｎｏｄｅ）を識別するための用語、網客体（ｎｅｔｗｏｒｋ ｅｎｔｉｔｙ）を指称する用語、メッセージを指称する用語、網客体の間のインターフェースを指称する用語、多様な識別情報を指称する用語などは説明の便宜のために例示されたことである。したがって、本発明が後述される用語に限定されるのではなく、同等な技術的意味を有する対象を指称する他の用語が用いられることができる。
【００２１】
以下、説明の便宜のために、本発明は３ＧＰＰ ＬＴＥ(３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ)規格で定義している用語及び名称を用いる。しかし、本発明が前記用語及び名称によって限定されるのではなく、他の規格によるシステムにも同様に適用されることができる。本発明でｅＮＢは説明の便宜のためにｇＮＢと混用されて用いることができる。すなわち、ｅＮＢで説明した基地局はｇＮＢを示すことができる。また、端末という用語は携帯電話、ＮＢ−ＩｏＴ機器、センサーだけではなく他の無線通信機器を示すことができる。
【００２２】
図１は、本発明の一実施例によるＬＴＥシステムの構造を示す図面である。
【００２３】
図１を参照すれば、示されたようにＬＴＥシステムの無線アクセスネットワークは次世代基地局(Ｅｖｏｌｖｅｄ Ｎｏｄｅ Ｂ、以下、ＥＮＢ、Ｎｏｄｅ Ｂ又は基地局)１０５、１１０、１１５、１２０とＭＭＥ(１２５、ｍｏｂｉｌｉｔｙ ｍａｎａｇｅｍｅｎｔ ｅｎｔｉｔｙ)及び Ｓ−ＧＷ(１３０、ｓｅｒｖｉｎｇ−ｇａｔｅｗａｙ）から構成される。ユーザ端末(ｕｓｅｒ ｅｑｕｉｐｍｅｎｔ、以下、ＵＥ又は端末)１３５はＥＮＢ１０５〜１２０及びＳ−ＧＷ１３０を介して外部ネットワークに接続する。
【００２４】
図１でＥＮＢ１０５〜１２０はＵＭＴＳシステムの既存のノードＢに対応される。ＥＮＢは ＵＥ１３５と無線チャンネルで接続されて既存ノードＢより複雑な役目を行う。ＬＴＥシステムではインターネットプロトコルを通じるＶｏＩＰ（ｖｏｉｃｅ ｏｖｅｒ ＩＰ）のようなリアルタイムサービスを含むすべてのユーザトラフィックが共用チャンネル（ｓｈａｒｅｄ ｃｈａｎｎｅｌ）を介してサービスされるので、ＵＥのバッファー状態、使用可能送信電力状態、チャンネル状態などの状態情報を集めてスケジューリングをする装置が必要であり、これをＥＮＢ１０５ 〜 １２０が担当する。一つのＥＮＢは通常多数のセルを制御する。
【００２５】
例えば、１００Ｍｂｐｓの送信速度を具現するためにＬＴＥシステムは例えば、２０ＭＨｚ帯域幅で直交周波数分割多重方式(ｏｒｔｈｏｇｏｎａｌ Ｆｒｅｑｕｅｎｃｙ ｄｉｖｉｓｉｏｎ ｍｕｌｔｉｐｌｅｘｉｎｇ、以下、ＯＦＤＭという）を無線接続技術で用いる。また、端末のチャンネル状態に合わせて変調方式(ｍｏｄｕｌａｔｉｏｎ ｓｃｈｅｍｅ）とチャンネルコーディング率(ｃｈａｎｎｅｌ ｃｏｄｉｎｇ ｒａｔｅ）を決定する適応変調コーディング（ａｄａｐｔｉｖｅ ｍｏｄｕｌａｔｉｏｎ＆ｃｏｄｉｎｇ、以下、ＡＭＣと言う)方式を適用する。
【００２６】
Ｓ−ＧＷ１３０はデータベアラーを提供する装置であり、ＭＭＥ１２５の制御によってデータベアラーを生成したり除去する。
【００２７】
ＭＭＥは端末に対する移動性管理機能はもちろん各種制御機能を担当する装置で多数の基地局と接続される。
【００２８】
図２は、本発明の一実施例によるＬＴＥシステムで無線プロトコル構造を示した図面である。
【００２９】
図２を参照すれば、ＬＴＥシステムの無線プロトコルは端末とＥＮＢでそれぞれパケットデータ収束プロトコル(ｐａｃｋｅｔ ｄａｔａ ｃｏｎｖｅｒｇｅｎｃｅ ｐｒｏｔｏｃｏｌ：ＰＤＣＰ）２０５、２４０、無線リンク制御(ｒａｄｉｏ ｌｉｎｋ ｃｏｎｔｒｏｌ：ＲＬＣ）２１０、２３５、媒体接続制御(ｍｅｄｉｕｍ ａｃｃｅｓｓ ｃｏｎｔｒｏｌ：ＭＡＣ）２１５、２３０から構成される。
【００３０】
ＰＤＣＰ２０５、２４０はＩＰ ヘッダー圧縮／復元などの動作を担当する。ＰＤＣＰの主要機能は以下のように要約される。
【００３１】
−ヘッダー圧縮及び圧縮解除機能(ｈｅａｄｅｒ ｃｏｍｐｒｅｓｓｉｏｎ ａｎｄ ｄｅｃｏｍｐｒｅｓｓｉｏｎ：ＲＯＨＣ ｏｎｌｙ)
【００３２】
−ユーザデータ送信機能(ｔｒａｎｓｆｅｒ ｏｆ ｕｓｅｒ ｄａｔａ)
【００３３】
−順次的伝達機能(Ｉｎ−ｓｅｑｕｅｎｃｅ ｄｅｌｉｖｅｒｙ ｏｆ ｕｐｐｅｒ ｌａｙｅｒ ＰＤＵｓ ａｔ ＰＤＣ Ｐｒｅ−ｅｓｔａｂｌｉｓｈｍｅｎｔ ｐｒｏｃｅｄｕｒｅ ｆｏｒ ＲＬＣ ＡＭ)
【００３４】
−順序再整列機能(ｆｏｒ ｓｐｌｉｔ ｂｅａｒｅｒｓ ｉｎ ＤＣ(ｏｎｌｙ ｓｕｐｐｏｒｔ ｆｏｒ ＲＬＣ ＡＭ）：ＰＤＣＰ ＰＤＵ ｒｏｕｔｉｎｇ ｆｏｒ ｔｒａｎｓｍｉｓｓｉｏｎ ａｎｄ ＰＤＣＰ ＰＤＵ ｒｅｏｒｄｅｒｉｎｇ ｆｏｒ ｒｅｃｅｐｔｉｏｎ)
【００３５】
−重複探知機能(ｄｕｐｌｉｃａｔｅ ｄｅｔｅｃｔｉｏｎ ｏｆ ｌｏｗｅｒ ｌａｙｅｒ ＳＤＵｓ ａｔ ＰＤＣＰ ｒｅ−ｅｓｔａｂｌｉｓｈｍｅｎｔ ｐｒｏｃｅｄｕｒｅ ｆｏｒ ＲＬＣ ＡＭ)
【００３６】
−再送信機能(ｒｅｔｒａｎｓｍｉｓｓｉｏｎ ｏｆ ＰＤＣＰ ＳＤＵｓ ａｔ ｈａｎｄｏｖｅｒ ａｎｄ、ｆｏｒ ｓｐｌｉｔ ｂｅａｒｅｒｓ ｉｎ ＤＣ、ｏｆ ＰＤＣＰ ＰＤＵｓ ａｔ ＰＤＣＰ ｄａｔａ−ｒｅｃｏｖｅｒｙ ｐｒｏｃｅｄｕｒｅ、ｆｏｒ ＲＬＣ ＡＭ)
【００３７】
−暗号化及び復号化機能(ｃｉｐｈｅｒｉｎｇ ａｎｄ ｄｅｃｉｐｈｅｒｉｎｇ)
【００３８】
−タイマー基盤ＳＤＵ削除機能(ｔｉｍｅｒ−ｂａｓｅｄ ＳＤＵ ｄｉｓｃａｒｄ ｉｎ ｕｐｌｉｎｋ。）
【００３９】
ＲＬＣ２１０、２３５はＰＤＣＰ ＰＤＵ(ｐａｃｋｅｔ ｄａｔａ ｕｎｉｔ）を適切なサイズに再構成してＡＲＱ動作などを行う。ＲＬＣの主要機能は以下のように要約される。
【００４０】
−データ送信機能(ｔｒａｎｓｆｅｒ ｏｆ ｕｐｐｅｒ ｌａｙｅｒ ＰＤＵｓ）
【００４１】
−ＡＲＱ機能(ｅｒｒｏｒ ｃｏｒｒｅｃｔｉｏｎ ｔｈｒｏｕｇｈ ＡＲＱ(ｏｎｌｙ ｆｏｒ ＡＭ ｄａｔａ ｔｒａｎｓｆｅｒ））
【００４２】
−接合、分割、再組み立て機能(ｃｏｎｃａｔｅｎａｔｉｏｎ、ｓｅｇｍｅｎｔａｔｉｏｎ ａｎｄ ｒｅａｓｓｅｍｂｌｙ ｏｆ ＲＬＣ ＳＤＵｓ(ｏｎｌｙ ｆｏｒ ＵＭ ａｎｄ ＡＭ ｄａｔａ ｔｒａｎｓｆｅｒ））
【００４３】
−再分割機能(ｒｅ−ｓｅｇｍｅｎｔａｔｉｏｎ ｏｆ ＲＬＣｄａｔａ ＰＤＵｓ(ｏｎｌｙ ｆｏｒ ＡＭ ｄａｔａ ｔｒａｎｓｆｅｒ））
【００４４】
−順序再整列機能(ｒｅｏｒｄｅｒｉｎｇ ｏｆ ＲＬＣｄａｔａ ＰＤＵｓ(ｏｎｌｙ ｆｏｒ ＵＭ ａｎｄ ＡＭ ｄａｔａ ｔｒａｎｓｆｅｒ）
【００４５】
−重複探知機能(ｄｕｐｌｉｃａｔｅ ｄｅｔｅｃｔｉｏｎ(ｏｎｌｙ ｆｏｒ ＵＭ ａｎｄ ＡＭ ｄａｔａ ｔｒａｎｓｆｅｒ））
【００４６】
−エラー探知機能(ｐｒｏｔｏｃｏｌ ｅｒｒｏｒ ｄｅｔｅｃｔｉｏｎ(ｏｎｌｙ ｆｏｒ ＡＭ ｄａｔａ ｔｒａｎｓｆｅｒ））
【００４７】
−ＲＬＣ ＳＤＵ削除機能(ＲＬＣ ＳＤＵ ｄｉｓｃａｒｄ(ｏｎｌｙ ｆｏｒ ＵＭ ａｎｄ ＡＭ ｄａｔａ ｔｒａｎｓｆｅｒ））
【００４８】
−ＲＬＣ再確立機能(ＲＬＣ ｒｅ−ｅｓｔａｂｌｉｓｈｍｅｎｔ）
【００４９】
ＭＡＣ２１５、２３０は一つの端末に構成された多くのＲＬＣ階層装置と接続され、ＲＬＣ ＰＤＵを ＭＡＣ ＰＤＵに多重化してＭＡＣ ＰＤＵからＲＬＣ ＰＤＵを逆多重化する動作を行う。ＭＡＣの主要機能は以下のように要約される。
【００５０】
−マッピング機能(ｍａｐｐｉｎｇ ｂｅｔｗｅｅｎ ｌｏｇｉｃａｌ ｃｈａｎｎｅｌｓ ａｎｄ ｔｒａｎｓｐｏｒｔ ｃｈａｎｎｅｌｓ）
【００５１】
−多重化及び逆多重化機能(ｍｕｌｔｉｐｌｅｘｉｎｇ／ｄｅｍｕｌｔｉｐｌｅｘｉｎｇ ｏｆ ＭＡＣ ＳＤＵｓ ｂｅｌｏｎｇｉｎｇ ｔｏ ｏｎｅ ｏｒ ｄｉｆｆｅｒｅｎｔ ｌｏｇｉｃａｌ ｃｈａｎｎｅｌｓ ｉｎｔｏ／ｆｒｏｍ ｔｒａｎｓｐｏｒｔ ｂｌｏｃｋｓ(ＴＢ)ｄｅｌｉｖｅｒｅｄ ｔｏ／ｆｒｏｍ ｔｈｅ ｐｈｙｓｉｃａｌ ｌａｙｅｒ ｏｎ ｔｒａｎｓｐｏｒｔ ｃｈａｎｎｅｌｓ）
【００５２】
−スケジューリング情報報告機能(ｓｃｈｅｄｕｌｉｎｇ ｉｎｆｏｒｍａｔｉｏｎ ｒｅｐｏｒｔｉｎｇ）
【００５３】
−ＨＡＲＱ機能(ｅｒｒｏｒ ｃｏｒｒｅｃｔｉｏｎ ｔｈｒｏｕｇｈ ＨＡＲＱ）
【００５４】
−ロジカルチャンネル間の優先順位調節機能(ｐｒｉｏｒｉｔｙ ｈａｎｄｌｉｎｇ ｂｅｔｗｅｅｎ ｌｏｇｉｃａｌ ｃｈａｎｎｅｌｓ ｏｆ ｏｎｅ ＵＥ）
【００５５】
−端末間の優先順位調節機能(ｐｒｉｏｒｉｔｙ ｈａｎｄｌｉｎｇ ｂｅｔｗｅｅｎ ＵＥｓ ｂｙ ｍｅａｎｓ ｏｆ ｄｙｎａｍｉｃ ｓｃｈｅｄｕｌｉｎｇ）
【００５６】
−ＭＢＭＳサービス確認機能(ＭＢＭＳ ｓｅｒｖｉｃｅ ｉｄｅｎｔｉｆｉｃａｔｉｏｎ）
【００５７】
−送信フォーマット選択機能(ｔｒａｎｓｐｏｒｔ ｆｏｒｍａｔ ｓｅｌｅｃｔｉｏｎ）
【００５８】
−パディング機能(ｐａｄｄｉｎｇ）
【００５９】
物理階層２２０、２２５は上位階層データをチャンネルコーディング及び変調し、ＯＦＤＭシンボルで造って無線チャンネルで送信したり、無線チャンネルを介して受信したＯＦＤＭシンボルを復調してチャンネルデコーディングして上位階層へ伝達する動作をする。
【００６０】
図３は、本発明の一実施例による次世代移動通信システムの構造を示す図面である。
【００６１】
図３を参照すれば、示されたように次世代移動通信システム(以下、ＮＲ又は５ｇ）の無線アクセスネットワークは次世代基地局(ｎｅｗ ｒａｄｉｏ ｎｏｄｅ Ｂ、以下、ＮＲ ｇＮＢ又はＮＲ基地局)３１０とＮＲ ＣＮ（３０５、Ｎｅｗ Ｒａｄｉｏ Ｃｏｒｅ Ｎｅｔｗｏｒｋ）から構成される。ユーザ端末（Ｎｅｗ Ｒａｄｉｏ Ｕｓｅｒ Ｅｑｕｉｐｍｅｎｔ、以下、ＮＲ ＵＥ又は端末）３１５はＮＲ ｇＮＢ３１０及びＮＲ ＣＮ３０５を介して外部ネットワークに接続する。
【００６２】
図３でＮＲ ｇＮＢ３１０は既存のＬＴＥシステムのｅＮＢ(ｅｖｏｌｖｅｄ ｎｏｄｅ Ｂ）に対応される。ＮＲ ｇＮＢはＮＲＵＥ３１５と無線チャンネルで接続されて既存ノードＢより越等なサービスを提供することができる。
【００６３】
次世代移動通信システムではすべてのユーザトラフィックが共用チャンネル（ｓｈａｒｅｄ ｃｈａｎｎｅｌ）を介してサービスされるので、ＵＥのバッファー状態、使用可能送信電力状態、チャンネル状態などの状態情報を集めてスケジューリングをする装置が必要であり、これをＮＲ ｇＮＢ３１０が担当する。一つのＮＲ ｇＮＢは通常の多数のセルを制御する。
【００６４】
現在のＬＴＥ対比超高速データ送信を具現するために既存の最大帯域幅以上を有することができ、ＯＦＤＭ方式を無線接続技術として追加的にビームフォーミング技術が採用されることができる。また、端末のチャンネル状態に合わせて変調方式とチャンネルコーディング率を決定するＡＭＣ方式を適用する。
【００６５】
ＮＲ ＣＮ３０５は移動性サポート、ベアラー設定、サービス品質(ｑｕａｌｉｔｙ ｏｆ ｓｅｒｖｉｃｅ：ＱｏＳ)設定などの機能を行う。ＮＲ ＣＮは端末に対する移動性管理機能はもちろん各種制御機能を担当する装置で多数の基地局と接続される。また、次世代移動通信システムは既存のＬＴＥシステムとも連動されることができ、ＮＲ ＣＮがＭＭＥ３２５とネットワークインターフェースを介して接続される。ＭＭＥは既存基地局であるｅＮＢ３３０と接続される。
【００６６】
図４は、本発明の一実施例による次世代移動通信システムの無線プロトコル構造を示した図面である。
【００６７】
図４を参照すれば、次世代移動通信システムの無線プロトコルは端末とＮＲ基地局でそれぞれのＮＲサービスデータ適応プロトコル(ｓｅｒｖｉｃｅ ｄａｔａ ａｄａｐｔａｔｉｏｎ ｐｒｏｔｏｃｏｌ：ＳＤＡＰ）４０１、４４５、ＮＲ ＰＤＣＰ４０５、４４０、ＮＲ ＲＬＣ４１０、４３５、ＮＲ ＭＡＣ４１５、４３０から構成される。
【００６８】
ＮＲ ＳＤＡＰ４０１、４４５の主要機能は次の機能のうちの一部を含むことができる。
【００６９】
−ユーザデータの伝達機能（ｔｒａｎｓｆｅｒ ｏｆ ｕｓｅｒ ｐｌａｎｅ ｄａｔａ）
【００７０】
−アップリンクとダウンリンクに対してＱｏＳ ｆｌｏｗとデータベアラーのマッピング機能(ｍａｐｐｉｎｇ ｂｅｔｗｅｅｎ ａ ＱｏＳ ｆｌｏｗ ａｎｄ ａ ＤＲＢ ｆｏｒ ｂｏｔｈ ＤＬ ａｎｄ ＵＬ）
【００７１】
−アップリンクとダウンリンクに対してＱｏＳ ｆｌｏｗ ＩＤをマーキング機能(ｍａｒｋｉｎｇ ＱｏＳ ｆｌｏｗ ＩＤ ｉｎ ｂｏｔｈ ＤＬ ａｎｄ ＵＬ ｐａｃｋｅｔｓ)
【００７２】
−アップリンクＳＤＡＰ ＰＤＵに対してｒｅｌｅｃｔｉｖｅ ＱｏＳ ｆｌｏｗをデータベアラーにマッピングさせる機能(ｒｅｆｌｅｃｔｉｖｅ ＱｏＳ ｆｌｏｗ ｔｏ ＤＲＢ ｍａｐｐｉｎｇ ｆｏｒ ｔｈｅ ＵＬ ＳＤＡＰ ＰＤＵｓ）。
【００７３】
前記ＳＤＡＰ階層装置(又は、ＳＤＡＰエンティティー）に対して端末はＲＲＣメッセージで各ＰＤＣＰ階層装置(又は、ＰＤＣＰレイヤー)別で又はベアラー別で又はロジカルチャンネル別でＳＤＡＰ階層装置のヘッダーを用いるか否か、若しくはＳＤＡＰ階層装置の機能を用いるか否かが設定されることができる。また、ＳＤＡＰヘッダーが設定された場合、ＳＤＡＰヘッダーのＮＡＳ ＱｏＳ反映設定１ビットインジケーター(ＮＡＳ ｒｅｆｌｅｃｔｉｖｅ ＱｏＳ）とＡＳ ＱｏＳ反映設定１ビットインジケーター(ＡＳ ｒｅｆｌｅｃｔｉｖｅ ＱｏＳ）は端末がアップリンクとダウンリンクのＱｏＳ ｆｌｏｗとデータベアラーに対するマッピング情報を更新又は再設定することができるように指示することができる。前記ＳＤＡＰヘッダーはＱｏＳを示すＱｏＳ ｆｌｏｗ ＩＤ情報を含むことができる。前記 ＱｏＳ情報は円滑なサービスをサポートするためのデータ処理優先順位、スケジューリング情報などで用いられることができる。
【００７４】
ＮＲ ＰＤＣＰ４０５、４４０の主要機能は次の機能のうちの一部を含むことができる。
【００７５】
ヘッダー圧縮及び圧縮解除機能(ｈｅａｄｅｒ ｃｏｍｐｒｅｓｓｉｏｎ ａｎｄ ｄｅｃｏｍｐｒｅｓｓｉｏｎ：ＲＯＨＣ ｏｎｌｙ)
【００７６】
−ユーザデータ送信機能(ｔｒａｎｓｆｅｒ ｏｆ ｕｓｅｒ ｄａｔａ)
【００７７】
−順次的伝達機能（Ｉｎ−ｓｅｑｕｅｎｃｅ ｄｅｌｉｖｅｒｙ ｏｆ ｕｐｐｅｒ ｌａｙｅｒ ＰＤＵｓ)
【００７８】
−非順次的伝達機能(Ｏｕｔ−ｏｆ−ｓｅｑｕｅｎｃｅ ｄｅｌｉｖｅｒｙ ｏｆ ｕｐｐｅｒ ｌａｙｅｒ ＰＤＵｓ)
【００７９】
−順序再整列機能(ＰＤＣＰ ＰＤＵ ｒｅｏｒｄｅｒｉｎｇ ｆｏｒ ｒｅｃｅｐｔｉｏｎ)
【００８０】
−重複探知機能(ｄｕｐｌｉｃａｔｅ ｄｅｔｅｃｔｉｏｎ ｏｆ ｌｏｗｅｒ ｌａｙｅｒ ＳＤＵｓ)
【００８１】
−再送信機能(ｒｅｔｒａｎｓｍｉｓｓｉｏｎ ｏｆ ＰＤＣＰ ＳＤＵｓ)
【００８２】
−暗号化及び復号化機能(Ｃｉｐｈｅｒｉｎｇ ａｎｄ ｄｅｃｉｐｈｅｒｉｎｇ)
【００８３】
−タイマー基盤ＳＤＵ削除機能(Ｔｉｍｅｒ−ｂａｓｅｄ ＳＤＵ ｄｉｓｃａｒｄ ｉｎ ｕｐｌｉｎｋ)ｔ
【００８４】
前記でＮＲ ＰＤＣＰ装置の順序再整列機能(ｒｅｏｒｄｅｒｉｎｇ）は下位階層で受信したＰＤＣＰ ＰＤＵをＰＤＣＰ ＳＮ(ｓｅｑｕｅｎｃｅ ｎｕｍｂｅｒ）を基盤に順に再整列する機能を意味し、再整列された順にデータを上位階層に伝達する機能を含むことができ、若しくは手順を考慮せず直ちに伝達する機能を含むことができ、手順を再整列して遺失されたＰＤＣＰ ＰＤＵを記録する機能を含むことができ、遺失されたＰＤＣＰ ＰＤＵに対する状態報告を送信側にする機能を含むことができ、遺失されたＰＤＣＰ ＰＤＵに対する再送信をリクエストする機能を含むことができる。
【００８５】
ＮＲ ＲＬＣ４１０、４３５の主要機能は次の機能のうちの一部を含むことができる。
【００８６】
−データ送信機能(ｔｒａｎｓｆｅｒ ｏｆ ｕｐｐｅｒ ｌａｙｅｒ ＰＤＵｓ）
【００８７】
−順次的伝達機能(Ｉｎ−ｓｅｑｕｅｎｃｅ ｄｅｌｉｖｅｒｙ ｏｆ ｕｐｐｅｒ ｌａｙｅｒ ＰＤＵｓ）
【００８８】
−非順次的伝達機能(Ｏｕｔ−ｏｆ−ｓｅｑｕｅｎｃｅ ｄｅｌｉｖｅｒｙ ｏｆ ｕｐｐｅｒ ｌａｙｅｒ ＰＤＵｓ）
【００８９】
−ＡＲＱ機能(ｅｒｒｏｒ ｃｏｒｒｅｃｔｉｏｎ ｔｈｒｏｕｇｈ ＡＲＱ）
【００９０】
−接合、分割、再組み立て機能(ｃｏｎｃａｔｅｎａｔｉｏｎ、ｓｅｇｍｅｎｔａｔｉｏｎ ａｎｄ ｒｅａｓｓｅｍｂｌｙ ｏｆ  ＲＬＣ ＳＤＵｓ）
【００９１】
−再分割機能(ｒｅ−ｓｅｇｍｅｎｔａｔｉｏｎ ｏｆ ＲＬＣ ｄａｔａ ＰＤＵｓ）
【００９２】
−順序再整列機能(ｒｅｏｒｄｅｒｉｎｇ ｏｆ ＲＬＣ ｄａｔａ ＰＤＵｓ）
【００９３】
−重複探知機能(ｄｕｐｌｉｃａｔｅ ｄｅｔｅｃｔｉｏｎ）
【００９４】
−エラー探知機能(ｐｒｏｔｏｃｏｌ ｅｒｒｏｒ ｄｅｔｅｃｔｉｏｎ）
【００９５】
−ＲＬＣ ＳＤＵ削除機能(ＲＬＣ ＳＤＵ ｄｉｓｃａｒｄ）
【００９６】
−ＲＬＣ再確立機能(ＲＬＣ ｒｅ−ｅｓｔａｂｌｉｓｈｍｅｎｔ)
【００９７】
前記でＮＲ  ＲＬＣ装置の順次伝達機能(Ｉｎ−ｓｅｑｕｅｎｃｅ ｄｅｌｉｖｅｒｙ）は下位階層から受信したＲＬＣ ＳＤＵを順に上位階層に伝達する機能を意味し、元々一つのＲＬＣ ＳＤＵがいくつかのＲＬＣ ＳＤＵに分割されて受信された場合、これを再組み立てて伝達する機能を含むことができ、受信したＲＬＣ ＰＤＵをＲＬＣ ＳＮ又はＰＤＣＰ ＳＮを基準に再整列する機能を含むことができ、手順を再整列して遺失されたＲＬＣ ＰＤＵを記録する機能を含むことができ、遺失されたＲＬＣ ＰＤＵに対する状態報告を送信側にする機能を含むことができ、遺失されたＲＬＣ ＰＤＵに対する再送信をリクエストする機能を含むことができ、遺失されたＲＬＣ ＳＤＵがある場合、遺失されたＲＬＣ ＳＤＵ以前までのＲＬＣ ＳＤＵのみを順に上位階層に伝達する機能を含むことができ、若しくは遺失されたＲＬＣ ＳＤＵがあっても所定のタイマーが満了されると、タイマーが開始される前に受信されたすべてのＲＬＣ ＳＤＵを順に上位階層に伝達する機能を含むことができ、若しくは遺失されたＲＬＣ ＳＤＵがあっても所定のタイマーが満了されると、現在まで受信されたすべてのＲＬＣ ＳＤＵを順に上位階層に伝達する機能を含むことができる。また、前記でＲＬＣ ＰＤＵを受信する順に(シーケンス番号の順序とは関係なく、到着する順に)処理してＰＤＣＰ装置で順序とは関係なく（Ｏｕｔ−ｏｆ ｓｅｑｕｅｎｃｅ ｄｅｌｉｖｅｒｙ)伝達することもでき、ｓｅｇｍｅｎｔの場合にはバッファーに記憶されているか追後に受信されるｓｅｇｍｅｎｔを受信して完全な一つのＲＬＣ ＰＤＵに再構成した後、処理してＰＤＣＰ装置へ伝達することができる。
【００９８】
前記ＮＲ ＲＬＣ階層は接合(ｃｏｎｃａｔｅｎａｔｉｏｎ)機能を含まないこともあって前記機能をＮＲ ＭＡＣ階層で行うかＮＲ ＭＡＣ階層の多重化（ｍｕｌｔｉｐｌｅｘｉｎｇ)機能で取り替えることができる。
【００９９】
前記でＮＲ ＲＬＣ装置の非順次的伝達機能(Ｏｕｔ−ｏｆ−ｓｅｑｕｅｎｃｅ ｄｅｌｉｖｅｒｙ）は下位階層から受信したＲＬＣ ＳＤＵを順序とは関係なく直ちに上位階層へ伝達する機能を意味し、元々一つのＲＬＣ ＳＤＵがいくつかのＲＬＣ ＳＤＵに分割されて受信された場合、これを再組み立てて伝達する機能を含むことができ、受信したＲＬＣ ＰＤＵのＲＬＣ ＳＮ又はＰＤＣＰ ＳＮを記憶して手順を整列して遺失されたＲＬＣ ＰＤＵを記録しておく機能を含むことができる。
【０１００】
ＮＲ ＭＡＣ４１５、４３０は一つの端末に構成された多くのＮＲＲＬＣ階層装置と接続されることができ、ＮＲ ＭＡＣの主要機能は次の機能のうちの一部を含むことができる。
【０１０１】
−マッピング機能(ｍａｐｐｉｎｇ ｂｅｔｗｅｅｎ ｌｏｇｉｃａｌ ｃｈａｎｎｅｌｓ ａｎｄ ｔｒａｎｓｐｏｒｔ ｃｈａｎｎｅｌｓ）
【０１０２】
−多重化及び逆多重化機能(ｍｕｌｔｉｐｌｅｘｉｎｇ／ｄｅｍｕｌｔｉｐｌｅｘｉｎｇ ｏｆ ＭＡＣ ＳＤＵｓ）
【０１０３】
−スケジューリング情報報告機能(ｓｃｈｅｄｕｌｉｎｇ ｉｎｆｏｒｍａｔｉｏｎ ｒｅｐｏｒｔｉｎｇ）
【０１０４】
−ＨＡＲＱ機能(ｅｒｒｏｒ ｃｏｒｒｅｃｔｉｏｎ ｔｈｒｏｕｇｈ ＨＡＲＱ）
【０１０５】
−ロジカルチャンネル間の優先順位調節機能(ｐｒｉｏｒｉｔｙ ｈａｎｄｌｉｎｇ ｂｅｔｗｅｅｎ ｌｏｇｉｃａｌ ｃｈａｎｎｅｌｓ ｏｆ ｏｎｅ ＵＥ）
【０１０６】
−端末間の優先順位調節機能(ｐｒｉｏｒｉｔｙ ｈａｎｄｌｉｎｇ ｂｅｔｗｅｅｎ ＵＥｓ ｂｙ ｍｅａｎｓ ｏｆ ｄｙｎａｍｉｃ ｓｃｈｅｄｕｌｉｎｇ）
【０１０７】
−ＭＢＭＳサービス確認機能(ＭＢＭＳ ｓｅｒｖｉｃｅ ｉｄｅｎｔｉｆｉｃａｔｉｏｎ）
【０１０８】
−送信フォーマット選択機能(Ｔｒａｎｓｐｏｒｔ ｆｏｒｍａｔ ｓｅｌｅｃｔｉｏｎ）
【０１０９】
−パディング機能(Ｐａｄｄｉｎｇ）
【０１１０】
ＮＲ ＰＨＹ階層４２０、４２５は上位階層データをチャンネルコーディング及び変調し、ＯＦＤＭシンボルで造って無線チャンネルで送信するか、無線チャンネルを介して受信したＯＦＤＭシンボルを復調してチャンネルデコーディングして上位階層へ伝達する動作を行うことができる。
【０１１１】
図５は、本開示の一実施例による次世代移動通信システムで本発明の端末がネットワークと接続を設定する時の基地局とＲＲＣ接続設定を行う手続きを示した図面である。
【０１１２】
図５で基地局はＲＲＣ接続モードでデータを送受信する端末が所定の理由、或いは一定時間の間のデータの送受信がなければＲＲＣ接続解除(ＲＲＣＣｏｎｎｅｃｔｉｏｎＲｅｌｅａｓｅ)メッセージを端末に送信して端末をＲＲＣアイドルモードで転換することができる（５０１）。
【０１１３】
追後に現在接続が設定されていない端末(以下、ｉｄｌｅ ｍｏｄｅ ＵＥ）は送信するデータが発生すると、基地局とＲＲＣ接続設立(ＲＲＣ ｃｏｎｎｅｃｔｉｏｎ ｅｓｔａｂｌｉｓｈｍｅｎｔ）過程を行う。端末はランダムアクセス過程を介して基地局と逆方向送信同期を確立してＲＲＣ接続リクエスト(ＲＲＣＣｏｎｎｅｃｔｉｏｎＲｅｑｕｅｓｔ)メッセージを基地局で送信する(５０５）。前記メッセージには端末の識別子と接続を設定しようとする理由（ｅｓｔａｂｌｉｓｈｍｅｎｔＣａｕｓｅ)などが収納される。
【０１１４】
基地局は端末がＲＲＣ接続を設定するようにＲＲＣ接続セットアップ(ＲＲＣＣｏｎｎｅｃｔｉｏｎＳｅｔｕｐ)メッセージを送信する（５１０）。前記メッセージには各ロジカルチャンネル別の設定情報又はベアラー別の設定情報又はＰＤＣＰ階層装置の設定情報又はＲＬＣ階層装置の設定情報又はＭＡＣ階層装置の設定情報が含まれることができる。また、基地局は前記メッセージを介してＰＤＣＰ階層装置の設定情報とベアラー識別子又はロジカルチャンネル識別子又はロジカルチャンネルとセル（周波数)の間のマッピング情報又はセルグループ設定情報又は二重接続に用いるしきい値などを設定して二重接続(ｄｕａｌ ｃｏｎｎｅｃｔｉｖｉｔｙ）とキャリアアグリゲーション(ｃａｒｒｉｅｒ ａｇｇｒｅｇａｔｉｏｎ)などを端末に設定することができる。また、基地局は前記メッセージを介して端末にアップリンク又はダウンリンクパケット重複送信を設定するためにＰＤＣＰ装置設定情報で２つのＲＬＣ階層装置を設定することができ、第１ＲＬＣ階層装置(ｐｒｉｍａｒｙ ＲＬＣ ｅｎｔｉｔｙ）と第２ＲＬＣ階層装置(ｓｅｃｏｎｄａｒｙ ＲＬＣ ｅｎｔｉｔｙ）をロジカルチャンネル識別子又はインジケーターと指定することができる。そして、前記でパケット重複送信はキャリアアグリゲーション又は二重接続で用いられることができる。
【０１１５】
また、基地局は前記メッセージを介してパケット重複送信が設定されたベアラー(例えば、ＳＲＢ(ｓｉｇｎａｌｉｎｇ ｒａｄｉｏ ｂｅａｒｅｒ)又はＤＲＢ(ｄａｔａ ｒａｄｉｏ ｂｅａｒｅｒ））の初期状態を活性化状態又は非活性化状態で設定することができる。また、前記メッセージに含まれたＳＤＡＰ階層装置の設定情報又はＰＤＣＰ階層装置設定情報を介してＱｏＳ ｆｌｏｗとベアラーの間にマッピング情報が設定されることができ、ＳＤＡＰ階層装置は前記マッピング情報を用いて上位階層装置から受信したデータを前記マッピングによって設定されたＰＤＣＰ階層装置でデータを伝達することができる。また、前記メッセージにはＲＲＣ接続構成情報などが収納される。ＲＲＣ接続はＳＲＢとも言い、端末と基地局の間の制御メッセージであるＲＲＣメッセージ送受信に用いられる。
【０１１６】
ＲＲＣ接続を設定した端末はＲＲＣ接続セットアップ完了(ＲＲＣＣｏｎｎｅｔｉｏｎＳｅｔｕｐＣｏｍｐｌｅｔｅ)メッセージを基地局へ送信する(５１５）。前記ＲＲＣＣｏｎｎｅｔｉｏｎＳｅｔｕｐＣｏｍｐｌｅｔｅメッセージには端末が所定のサービスのためのベアラー設定を接続管理機能(ａｃｃｅｓｓ ｍａｎａｇｅｍｅｎｔ ｆｕｎｃｔｉｏｎ：ＡＭＦ)又はＭＭＥにリクエストするサービスリクエスト(ＳＥＲＶＩＣＥ ＲＥＱＵＥＳＴ)という制御メッセージが含まれている。
【０１１７】
基地局はＲＲＣＣｏｎｎｅｔｉｏｎＳｅｔｕｐＣｏｍｐｌｅｔｅメッセージに収納されたＳＥＲＶＩＣＥ ＲＥＱＵＥＳＴメッセージをＡＭＦ又はＭＭＥで送信して(５２０)、ＡＭＦ又はＭＭＥは端末がリクエストしたサービスを提供するか否かを判断する。判断結果、端末がリクエストしたサービスを提供することに決定すると、ＡＭＦ又はＭＭＥは基地局に初期コンテキストセットアップリクエスト(ＩＮＩＴＩＡＬ ＣＯＮＴＥＸＴ ＳＥＴＵＰ ＲＥＱＵＥＳＴ)メッセージを送信する（５２５）。前記メッセージにはＤＲＢ設定時に適用するＱｏＳ情報、そしてＤＲＢに適用する保安関連情報(例えば、ｓｅｃｕｒｉｔｙ ｋｅｙ、ｓｅｃｕｒｉｔｙ ａｌｇｏｒｉｔｈｍ)などの情報が含まれる。
【０１１８】
基地局は端末と保安を設定するために保安モードコマンド(ｓｅｃｕｒｉｔｙｍｏｄｅｃｏｍｍａｎｄ)メッセージ５３０を送信し、保安モード完了(ＳｅｃｕｒｉｔｙＭｏｄｅＣｏｍｐｌｅｔｅ)メッセージ５３５を受信する。
【０１１９】
保安設定が完了されると、基地局は端末にＲＲＣ接続再設定(ＲＲＣＣｏｎｎｅｃｔｉｏｎＲｅｃｏｎｆｉｇｕｒａｔｉｏｎ)メッセージを送信する（５４０）。前記メッセージには各ロジカルチャンネル別の設定情報又はベアラー別の設定情報又はＰＤＣＰ階層装置の設定情報又はＲＬＣ階層装置の設定情報又はＭＡＣ階層装置の設定情報が含まれることができる。また、基地局は前記メッセージを介してＰＤＣＰ階層装置の設定情報とベアラー識別子又はロジカルチャンネル識別子又はロジカルチャンネルとセル（周波数)の間のマッピング情報又はセルグループ設定情報又は二重接続に用いるしきい値などを設定して二重接続とキャリアアグリゲーションなどを端末に設定することができる。また、基地局は前記メッセージを介して端末にアップリンク又はダウンリンクパケット重複送信を設定するためにＰＤＣＰ装置設定情報で２つのＲＬＣ階層装置を設定することができ、第１ＲＬＣ階層装置と第２ＲＬＣ階層装置をロジカルチャンネル識別子又はインジケーターと指定することができる。そして、前記でパケット重複送信はキャリアアグリゲーション又は二重接続で用いられることができる。
【０１２０】
また、基地局は前記メッセージを介してパケット重複送信が設定されたベアラー（例えば、ＳＲＢ又はＤＲＢ）の初期状態を活性化状態又は非活性化状態で設定することができる。また、前記メッセージに含まれたＳＤＡＰ階層装置の設定情報又はＰＤＣＰ階層装置設定情報を介してＱｏＳ ｆｌｏｗとベアラーの間にマッピング情報が設定されることができ、ＳＤＡＰ階層装置は前記マッピング情報を用いて上位階層装置から受信したデータを前記マッピングによって設定されたＰＤＣＰ階層装置でデータを伝達することができる。
【０１２１】
また、前記メッセージにはユーザデータが処理されるＤＲＢの設定情報が含まれ、端末は前記情報を適用してＤＲＢを設定して基地局にＲＲＣ接続再設定完了(ＲＲＣＣｏｎｎｅｃｔｉｏｎＲｅｃｏｎｆｉｇｕｒａｔｉｏｎＣｏｍｐｌｅｔｅ)メッセージを送信する（５４５）。
【０１２２】
端末とＤＲＢ設定を完了した基地局はＡＭＦ又はＭＭＥに初期コンテキストセットアップ完了(ＩＮＩＴＩＡＬ ＣＯＮＴＥＸＴ ＳＥＴＵＰ ＣＯＭＰＬＥＴＥ)メッセージを送信して接続を完了することができる（５５０）。
【０１２３】
前記過程が全部完了されると、端末は基地局とコアネットワークを介してデータを送受信する(５５５、５６０)。
【０１２４】
このように一般的なデータ送信過程は大きくＲＲＣ接続設定、保安設定、ＤＲＢ設定の３段階から構成される。また、基地局は所定の理由で端末に設定を新たにしたり追加したり変更するためにＲＲＣ接続再設定(ＲＲＣ Ｃｏｎｎｅｃｔｉｏｎ Ｒｅｃｏｎｆｉｇｕｒａｔｉｏｎ)メッセージを送信することができる（５６５）。前記メッセージには各ロジカルチャンネル別の設定情報又はベアラー別の設定情報又はＰＤＣＰ階層装置の設定情報又はＲＬＣ階層装置の設定情報又はＭＡＣ階層装置の設定情報が含まれることができる。また、基地局は前記メッセージを介してＰＤＣＰ階層装置の設定情報とベアラー識別子又はロジカルチャンネル識別子又はロジカルチャンネルとセル(周波数)の間のマッピング情報又はセルグループ設定情報又は二重接続に用いるしきい値などを設定して二重接続とキャリアアグリゲーションなどを端末に設定することができる。
【０１２５】
また、基地局は前記メッセージを介して端末にアップリンク又はダウンリンクパケット重複送信を設定するためにＰＤＣＰ装置設定情報で２つのＲＬＣ階層装置を設定することができ、第１ＲＬＣ階層装置（ｐｒｉｍａｒｙ ＲＬＣ ｅｎｔｉｔｙ）と第２ＲＬＣ階層装置（ｓｅｃｏｎｄａｒｙ ＲＬＣ ｅｎｔｉｔｙ）をロジカルチャンネル識別子又はインジケーターと指定することができる。そして、前記でパケット重複送信はキャリアアグリゲーション又は二重接続で用いられることができる。
【０１２６】
また、基地局は前記メッセージを介してパケット重複送信が設定されたベアラー(例えば、ＳＲＢ又はＤＲＢ）の初期状態を活性化状態又は非活性化状態で設定することができる。また。前記メッセージに含まれたＳＤＡＰ階層装置の設定情報又はＰＤＣＰ階層装置設定情報を介して ＱｏＳ ｆｌｏｗとベアラーの間にマッピング情報が設定されることができ、ＳＤＡＰ階層装置は前記マッピング情報を用いて上位階層装置から受信したデータを前記マッピングによって設定されたＰＤＣＰ階層装置でデータを伝達することができる。
【０１２７】
図６は、本発明の一実施例による次世代移動通信システムでデータ先処理を行う手続きを示した図面である。
【０１２８】
図６でデータ先処理６０１を行う手続きを示す。前記データ先処理はＳＤＡＰ階層装置(又はＳＤＡＰエンティティー)又はＰＤＣＰ階層装置(又はＰＤＣＰエンティティー)又はＲＬＣ階層装置(又はＲＬＣエンティティー)又はＭＡＣ階層装置(又は、ＭＡＣエンティティー）でデータに対して行うデータ処理をアップリンク送信リソースを受信する前に予め行うことを意味する。
【０１２９】
前記で予め処理するデータ処理は各階層装置のヘッダーを構成するか各階層装置の機能を行うことを意味することができる。例えば、ＳＤＡＰ階層装置が設定されると、ＳＤＡＰ階層装置は上位階層から受信したデータに対してＳＤＡＰヘッダーを構成して前記データのＱｏＳ ｆｌｏｗにマッピングされたベアラーに該当するＰＤＣＰ階層装置でデータを伝達することができる。そして、前記ＰＤＣＰ階層装置はもし、ヘッダー圧縮(ＲＯＨＣ、ｒｏｂｕｓｔ ｈｅａｄｅｒ ｃｏｍｐｒｅｓｓｉｏｎ）が設定された場合、前記データのＳＤＡＰヘッダーを除いたＰＤＣＰ ＳＤＵの上位階層ヘッダーに対してヘッダー圧縮を行い、無欠性保護(ｉｎｔｅｇｒｉｔｙ ｐｒｏｔｅｃｔｉｏｎ）が設定された場合、ＰＤＣＰヘッダーを生成してこれを考慮して無欠性保護を行い、ＰＤＣＰ ＳＤＵに対して暗号化(ｃｉｐｈｅｒｉｎｇ）を行ってＰＤＣＰシーケンス番号を割り当てたＰＤＣＰヘッダー６０５を接合して下位ＲＬＣ階層装置でデータを伝達することができる。
【０１３０】
そして、前記ＲＬＣ階層装置は分割情報(ｓｅｇｍｅｎｔａｔｉｏｎ ｉｎｆｏｒｍａｔｉｏｎ：ＳＩ)フィールドを設定してＲＬＣシーケンス番号を割り当ててＲＬＣヘッダー６１０を構成して接合して下位ＭＡＣ階層装置へ伝達し、前記 ＭＡＣ階層装置はＭＡＣヘッダーのＬフィールドとロジカルチャンネル識別子を設定してＭＡＣヘッダー６１５を接合してデータを予め構成することができる（６２０）。
【０１３１】
また他の方法で前記データ先処理手続きはＰＤＣＰ階層装置でヘッダー圧縮、無欠性検証、暗号化手続きを行い、ＰＤＣＰヘッダーとＲＬＣヘッダーとＭＡＣヘッダーを別に生成することができる。すなわち、ＲＬＣ階層装置やＭＡＣ階層装置でデータを伝達しなくてもヘッダーを予め生成することができ、アップリンク送信リソースを受信した時のヘッダーをアップデートし、ヘッダーとデータを接合して一つのＭＡＣ ＰＤＵを構成することができる。
【０１３２】
もし、アップリンク送信リソース６２５を受信すると、端末はアップリンク送信リソースに当たるように予めデータ先処理されたデータを入れて送信するデータ(ＭＡＣ ＰＤＵ）を構成し、もし、アップリンク送信リソースが不足であれば最後に前記ＭＡＣ ＰＤＵに含まれるデータに対して分割(ｓｅｇｍｅｎｔａｔｉｏｎ)手続きを行ってＲＬＣヘッダーのＳＩフィールドをアップデートし、第１セグメントではない場合、ＳＯフィールドを追加することができ(６３０、６３５）、分割動作によって減った長さに対してＭＡＣヘッダーのＬフィールド値をアップデートして前記アップリンク送信リソースのサイズにあうＭＡＣ ＰＤＵを構成して下位ＰＨＹ階層装置に送って送信することができる。
【０１３３】
図７は、本発明の一実施例による次世代移動通信システムでパケット重複送信が設定されて活性化及び非活性化状態で行われる手続きを示した図面である。
【０１３４】
端末は基地局から前記図５で説明したようにＲＲＣメッセージを介してパケット重複送信に対する設定を受信すると、パケット重複送信を用いることができる。
【０１３５】
前記パケット重複送信がキャリアアグリゲーションで設定された場合、前記パケット重複送信が設定されたベアラー又はＰＤＣＰ階層装置に対して２つのＲＬＣ階層装置、すなわち、第１ＲＬＣ階層装置(ｐｒｉｍａｒｙ ＲＬＣ ｅｎｔｉｔｙ、７０５)と第２ＲＬＣ階層装置(ｓｅｃｏｎｄａｒｙ ＲＬＣ ｅｎｔｉｔｙ、７１０)が設定されることができる。
【０１３６】
そして、もしパケット重複送信が非活性化されていると、アップリンク送信でＰＤＣＰ階層装置は第１ＲＬＣ階層装置７０５にだけパケットを送信し、第２ＲＬＣ階層装置では送信しない。
【０１３７】
もし、パケット重複送信が活性化されていると、アップリンク送信でＰＤＣＰ階層装置は下位２つのＲＬＣ階層装置(第１ＲＬＣ階層装置と第２ＲＬＣ階層装置）で同一なパケットを重複してそれぞれ送信することができる。すなわち、ＰＤＣＰ階層は一つのパケットを第１ＲＬＣ階層装置へ伝達し、前記パケットを複製して同一なパケットを第２ＲＬＣ階層装置へ伝達することができる。
【０１３８】
前記でキャリアアグリゲーションでパケット重複送信が設定され、活性化された場合、ＭＡＣ階層装置７１５は互いに異なるロジカルチャンネル識別子を有する第１ＲＬＣ階層装置と第２ＲＬＣ階層装置からそれぞれの伝達されたデータを互いに異なるキャリアを介して送信することができる。
【０１３９】
前記手続きはアップリンクデータ送信に関するものであり、ダウンリンクデータ受信に対して端末はパケット重複送信が適用されたダウンリンクデータを常に受信するべきである。すなわち、アップリンクパケット重複送信が非活性化されていてアップリンクデータを第２ＲＬＣ階層装置で重複して伝達することはできなくても第２ＲＬＣ階層装置７１０はダウンリンクデータをＭＡＣ階層装置から受信して処理してＰＤＣＰ階層装置へ伝達しなければならない。
【０１４０】
すなわち、キャリアアグリゲーションでパケット重複送信が設定されて活性化された場合、端末はアップリンクデータをＰＤＣＰ階層装置で重複して第１ＲＬＣ階層装置と第２ＲＬＣ階層装置へ伝達することができ、キャリアアグリゲーションでパケット重複送信が設定されて非活性化された場合、端末はアップリンクデータをＰＤＣＰ階層装置で重複手続きを行わず、第１ＲＬＣ階層装置にだけデータを伝達することができる。前記でパケット重複送信の活性化及び非活性化状態の設定はＭＡＣ制御情報(ＭＡＣ ｃｏｎｔｒｏｌ ｅｌｅｍｅｎｔ：ＭＡＣ ＣＥ）で決定されることもできる。
【０１４１】
前記パケット重複送信が二重接続で設定された場合、前記パケット重複送信が設定されたベアラー又はＰＤＣＰ階層装置に対して２つのＲＬＣ階層装置、すなわち、第１ＲＬＣ階層装置(ｐｒｉｍａｒｙ ＲＬＣ ｅｎｔｉｔｙ、７１６）と第２ＲＬＣ階層装置（Ｓｅｃｏｎｄａｒｙ ＲＬＣ ｅｎｔｉｔｙ、７２０）が設定されることができる。
【０１４２】
そして、もしパケット重複送信が非活性化されていると、アップリンク送信でＰＤＣＰ階層装置は第１ＲＬＣ階層装置と第２ＲＬＣ階層装置でパケットを伝達するが、データを重複して送信せずスプリットベアラー(ｓｐｌｉｔ ｂｅａｒｅｒ）の動作のように互いに異なるデータをそれぞれ第１ＲＬＣ階層装置と第２ＲＬＣ階層装置へ伝達することができる。
【０１４３】
もし、パケット重複送信が活性化されていると、アップリンクでＰＤＣＰ階層装置は下位二つのＲＬＣ階層装置(第１ＲＬＣ階層装置と第２ＲＬＣ階層装置）で同一なパケットを重複してそれぞれ送信することができる。すなわち、ＰＤＣＰ階層装置は一つのパケットを第１ＲＬＣ階層装置へ伝達し、前記パケットを複製して同一なパケットを第２ＲＬＣ階層装置へ伝達することができる。
【０１４４】
前記で二重接続でパケット重複送信が設定され、活性化された場合、各 ＭＡＣ階層装置（７２５、７３０）は各ＲＬＣ階層装置から伝達受けたデータを互いに異なる基地局へ送信することができる。
【０１４５】
前記手続きはアップリンクデータ送信に関するものであり、ダウンリンクデータ受信に対して端末はパケット重複送信が適用されたダウンリンクデータを常に受信するべきである。
【０１４６】
すなわち、二重接続でパケット重複送信が設定されて活性化された場合、端末はアップリンクデータをＰＤＣＰ階層装置で重複して第１ＲＬＣ階層装置と第２ＲＬＣ階層装置へ伝達することができ、二重接続でパケット重複送信が設定されて非活性化された場合、端末はアップリンクデータをＰＤＣＰ階層装置で重複手続きを行わず、スプリットベアラーのように互いに異なるデータを第１ＲＬＣ階層装置と第２ＲＬＣ階層装置へ伝達することができる。前記でパケット重複送信の活性化及び非活性化状態の設定はＭＡＣ制御情報で決定されることもできる。
【０１４７】
本発明の次で提案するパケット重複送信での効率的なデータ処理方法はキャリアアグリゲーションにパケット重複送信が用いられる場合と二重接続にパケット重複送信が用いられる場合にいずれも適用されることができる。
【０１４８】
図８は、本開示の一実施例によってパケット重複送信を適用する場合、データ先処理を行う方法を示す図面である。
【０１４９】
トランスミッタ(基地局又は端末）はパケット重複送信が設定されると、ＰＤＣＰ階層装置８０５は受信されたデータを重複処理し、各ＲＬＣ階層装置とＭＡＣ階層装置でデータ先処理を実行(８２０、８２５）することができる。すなわち、ＰＤＣＰ階層装置はＰＤＣＰシーケンス番号を各データに割り当てることができ、各ＲＬＣ階層装置は各ＲＬＣシーケンス番号を割り当てることができる。前記で第１ＲＬＣ階層装置と第２ＲＬＣ階層装置で用いられるＲＬＣシーケンス番号は同じではないこともあり、各ＲＬＣ階層装置から独立的に各ＲＬＣシーケンス番号が割り当てられる。例えば、ＰＤＣＰ シーケンス番号１番から５０番まで該当するデータが複製されて第１ＲＬＣ階層装置８１０と第２ＲＬＣ階層装置８１５で伝達されると、第１ＲＬＣ階層装置は前記５１個のデータに対して第１ＲＬＣシーケンス番号を５番から５４番まで割り当てることができ、第２ＲＬＣ階層装置は前記５１個のデータに対して第２ＲＬＣシーケンス番号を１番から５０番まで割り当てることができる。そして各階層装置のヘッダーを構成してデータ先処理を完了することができる。
【０１５０】
前記パケット重複送信はレシーバーで重複にデータが受信されても互いに異なる経路でデータを送信して一つのデータでも先ず伝達するようにして送信遅延を減らすことができ、信頼性は高めることができる一方に、送信リソースを浪費するようになる問題がある。
【０１５１】
しかし、ＲＬＣ ＡＭ(ａｃｋｎｏｗｌｅｄｇｅｄ ｍｏｄｅ)ベアラーの場合、ＲＬＣ階層装置でＡＲＱ機能を行うからＲＬＣ ＳＴＡＴＵＳ ＰＤＵで成功的に伝達されるか伝達されることができなかったデータに対してＡＣＫ／ＮＡＣＫ情報を受信することができる。したがって、トランスミッタはもう一つのＲＬＣ階層装置で成功的に伝達されたデータを他のＲＬＣ階層装置で続いて送信する必要がない。例えば、ＰＤＣＰシーケンス番号２番(第１ＲＬＣシーケンス番号６番、８３０に対して成功的な伝達が完了されたというＲＬＣ状態報告（ＲＬＣ ＳＴＡＴＵＳ ＰＤＵ）を第１ＲＬＣ階層装置が受信すると、これ以上第２ＲＬＣ階層装置がＰＤＣＰシーケンス番号２番(第２ＲＬＣシーケンス番号２番、８３５）に対してデータ送信を行う必要がない。何故ならば、第２ＲＬＣ階層装置が送信を行ってもレシーバーで前記ＰＤＣＰシーケンス番号２番に対するデータを成功的に受信したからレシーバー(端末又は基地局）のＰＤＣＰ階層装置から重複探知に重複されたデータを破棄するからである。
【０１５２】
しかし、ＰＤＣＰ階層装置が前記第１ＲＬＣ階層装置を通じる前記ＰＤＣＰシーケンス番号２番に対する成功的な伝達を指示して第２ＲＬＣ階層装置が分かったと言っても、前記データがもう送信された事があると、又は前記データの一部(セグメント）が送信されたことがあると、第２ＲＬＣ階層装置は前記データの再送信のためにデータを破棄することができない。すなわち、レシーバーでＲＬＣシーケンス番号ギャップ（ｇａｐ)問題が発生しないように再送信を行わなければならない。
【０１５３】
前記のようににＲＬＣ ＡＭベアラーでＡＲＱ機能を用いて一つのＲＬＣ階層装置でパケットの成功的な伝達をＲＬＣ状態報告で受信した場合、この情報をＰＤＣＰ階層装置に通知することができる。また、ＰＤＣＰ階層装置は前記情報を他のＲＬＣ階層装置で送信し、他のＲＬＣ階層装置で重複されたデータを破棄して不必要な重複送信を防止して送信リソース浪費を防止することができる。
【０１５４】
図９は、本開示の一実施例によってＲＬＣＡＭベアラーにパケット重複送信が適用された場合、データ先処理を用いる時の発生することができる問題を示した図面である。
【０１５５】
トランスミッタ(基地局又は端末）はＲＬＣＡＭベアラーに対してパケット重複送信が設定されればＰＤＣＰ階層装置は受信されたデータを重複処理して各ＲＬＣ階層装置とＭＡＣ階層装置はデータ先処理を行うことができる。すなわち、ＰＤＣＰ階層装置はＰＤＣＰシーケンス番号を各データに割り当てることができ、各ＲＬＣ階層装置は各ＲＬＣシーケンス番号を割り当てることができる。前記で第１ＲＬＣ階層装置と第２ＲＬＣ階層装置で用いられるＲＬＣシーケンス番号は同じではないこともあり、各ＲＬＣ階層装置から独立的に各ＲＬＣシーケンス番号が割り当てられる。例えば、ＰＤＣＰシーケンス番号１番から５０番まで該当するデータが複製されて第１ＲＬＣ階層装置と第２ＲＬＣ階層装置へ伝達されると、第１ＲＬＣ階層装置は前記５１個のデータに対して第１ＲＬＣシーケンス番号を５番から５４番まで割り当てることができ、第２ＲＬＣ階層装置は前記 ５１個のデータに対して第２ＲＬＣシーケンス番号を１番から５０番まで割り当てることができる。そして、各階層装置のヘッダーを構成してデータ先処理を完了することができる。
【０１５６】
ＲＬＣ ＡＭベアラーの場合、ＲＬＣ階層装置でＡＲＱ機能を行うからＲＬＣ ＳＴＡＴＵＳ ＰＤＵで成功的に伝達されたり伝達することができなかったデータに対してＡＣＫ／ＮＡＣＫ情報を受信することができる。したがって、トランスミッタはもう一つのＲＬＣ階層装置で成功的に伝達されたデータを他のＲＬＣ階層装置で続いて送信する必要がない。例えば、ＰＤＣＰシーケンス番号２番(第１ＲＬＣシーケンス番号６番）に対して成功的な伝達が完了されたというＲＬＣ状態報告（ＲＬＣ ＳＴＡＴＵＳ ＰＤＵ）を第１ＲＬＣ階層装置が受信すると、これ以上第２ＲＬＣ階層装置がＰＤＣＰシーケンス番号２番(第２ＲＬＣシーケンス番号２番)に対してデータ送信を行う必要がない。何故ならば第２ＲＬＣ階層装置が送信を行ってもレシーバーで前記ＰＤＣＰシーケンス番号２番に対するデータを成功的に受信したからレシーバー(端末又は基地局）のＰＤＣＰ階層装置から重複探知に重複されたデータを破棄するからである。
【０１５７】
したがって、第２ＲＬＣ階層装置は前記ＰＤＣＰ階層装置からＰＤＣＰシーケンス番号２番(第２ＲＬＣシーケンス番号２番、９１５）が第１ＲＬＣ階層装置で成功的に送信されたという指示を受けると、９０５前記ＰＤＣＰシーケンス番号２番(第２ＲＬＣシーケンス番号２番、９１５）に該当するデータを破棄することができる。
【０１５８】
前記でＰＤＣＰシーケンス番号２番(第２ＲＬＣシーケンス番号２番、９１５）に該当するデータを破棄するようになれば残りＲＬＣシーケンス番号３番から９０１からＲＬＣシーケンス番号５０番まで(９０２）に該当するデータに対してＲＬＣシーケンス番号を割り当て直しなければならない。何故ならば、ＲＬＣシーケンス番号２番に該当するデータが削除されてＲＬＣシーケンス番号２番が空かれると、レシーバーでＲＬＣシーケンス番号ギャップ(Ｇａｐ)問題が発生して再送信が続いて要請され、結局、リンクが切られることもできるからである。したがって、第２ＲＬＣ階層装置は９１０のように第２ＲＬＣシーケンス番号２番から開始して４９番まで各データに対して第２ＲＬＣシーケンス番号を割り当て直しなければならない。
【０１５９】
もし、第２ＲＬＣ階層装置がＰＤＣＰシーケンス番号５番(割り当て直した第２ＲＬＣシーケンス番号４番、９３０)の第２成功的な伝達を確認すると、９２５のように既存の第２ＲＬＣシーケンス番号５番から４９番までに該当するデータに対してさらに第２ＲＬＣシーケンス番号４番から４８番に割り当て直しなければならない。
【０１６０】
したがって、ＲＬＣ ＡＭベアラーでパケット重複送信を適用し、データ先処理を行う場合、前記図９のようにＲＬＣシーケンス番号を続いて割り当て直しなければならない問題が発生することができ、これはトランスミッタのデータ処理複雑度を増加させることができる。
【０１６１】
図１０は、本開示の一実施例による２段階データ処理手続きの第１実施例を示した図面であり、図１１は本開示の一実施例による２段階データ処理手続きの第１実施例を示した図面である。
【０１６２】
図１０で提案する二つの段階データ処理手続きは次の通りである。
【０１６３】
第１段階（１００１）：送信リソースを受信する前にトランスミッタ(端末又は基地局）はパケット重複送信が設定されたＡＭベアラーに対してデータ先処理を行う。トランスミッタは図６で説明したようにデータ先処理を行う。しかし、トランスミッタはＲＬＣシーケンス番号は割り当てない。すなわち、ＲＬＣヘッダーでＲＬＣシーケンス番号に該当するＲＬＣ ＳＮフィールドには値を入力せずＲＬＣ ＳＮフィールドに対する処理を行わない（１００５、１０１０）。
【０１６４】
第２段階（１００２）：トランスミッタ(基地局又は端末）は送信リソース(例えば、アップリンク送信リソース、ｕｐｌｉｎｋ ｇｒａｎｔ）を受信すると（又は決定すると）、前記送信リソースに完全に含まれるデータ又は前記送信リソースに含まれるデータの一部セグメント、ｓｅｇｍｅｎｔ）に対してだけまだ割り当てられないＲＬＣシーケンス番号を割り当ててＲＬＣヘッダーを完成して前記送信リソースに含まれるデータを処理して前記送信リソースに含んで送信することができる（１０１５）。送信リソースにデータが含まれるということは、前記送信リソースを介してデータを送信する過程を意味することができる。
【０１６５】
前記のように送信リソースを受信した時(又は決定した時)の前後でそれぞれデータ処理を２段階でデータを先処理すると、データ先処理の利得は得ながら、ＲＬＣシーケンス番号を割り当て直してアップデートする手続きを避けることができる。
【０１６６】
すなわち、図１１の１１１０のようにＰＤＣＰシーケンス番号２番に該当するデータを第１ＲＬＣ階層装置が成功的に伝達したことを指示する情報をＰＤＣＰ階層装置が第２ＲＬＣ階層装置に伝達すると、第２ＲＬＣ階層装置はＰＤＣＰシーケンス番号２番に該当するデータ１１１５を破棄することができる。そして、第２ＲＬＣ階層装置に送信リソースが割り当てられると、割り当てられた送信リソースに当たるデータにＲＬＣシーケンス番号を割り当てして構成してデータを送信することができる(１１２０)。
【０１６７】
したがって、図９で説明したことと同じなデータ先処理及び他のＲＬＣ階層装置の成功的なデータ送信によるＲＬＣシーケンス番号の割り当て直し及びアップデート問題を防止することができる。
【０１６８】
図１２は、本開示の一実施例による２段階データ処理手続きの第２実施例を示した図面である。
【０１６９】
図１２で提案する２段階データ処理手続きは次の通りである。
【０１７０】
第１段階（１２０１）：送信リソースを受信する前にトランスミッタ(端末又は基地局）はパケット重複送信が設定されたＡＭベアラーに対してデータ先処理を行う。トランスミッタは図６で説明したようにデータ先処理を行う（１００５、１０１０）。
【０１７１】
第２段階（１２０２）：トランスミッタ(基地局又は端末）は送信リソース(例えば、アップリンク送信リソース、ｕｐｌｉｎｋ ｇｒａｎｔ）を受信すると（又は決定すると）、前記送信リソースに完全に含まれるデータ又は前記送信リソースに含まれるデータの一部セグメント、ｓｅｇｍｅｎｔ）に対してのみＲＬＣシーケンス番号割り当て直し及びアップデート必要可否を確認する。もし、ＲＬＣシーケンス番号割り当て直し及びアップデートが必要なければ、送信リソースに当たるようにデータを構成して送信する。
【０１７２】
しかし、もし、ＲＬＣシーケンス番号割り当て直し及びアップデートが必要であれば、トランスミッタはＲＬＣシーケンス番号を割り当て直してアップデートしてＲＬＣヘッダーを完成して前記送信リソースに含まれるデータを処理して前記送信リソースに含んで送信することができる（１２４０）。前記でＲＬＣシーケンス番号割り当て直し及びアップデート可否は他のＲＬＣ階層装置から成功的な伝達が確認されたデータに対してＰＤＣＰ階層装置でこれ以上送信を行う必要がないから破棄を指示したデータのＰＤＣＰシーケンス番号とそれに相応するＲＬＣシーケンス番号を考慮して決定されることができる。
【０１７３】
前記のように送信リソースを受信した時（又は決定した時)の前後でそれぞれデータ処理を２段階でデータを先処理すると、データ先処理の利得は得ながら、ＲＬＣ シーケンス番号を割り当て直してアップデートする手続きを避けることができる。
【０１７４】
すなわち、図１２の１２２０のようにＰＤＣＰシーケンス番号２番に該当するデータを第１ＲＬＣ階層装置が成功的に伝達したことを指示する情報をＰＤＣＰ階層装置が第２ＲＬＣ階層装置に伝達すると、第２ＲＬＣ階層装置はＰＤＣＰシーケンス番号２番に該当するデータ１２２５を破棄することができる。そして、第２ＲＬＣ階層装置に送信リソースが割り当てられると、割り当てられた送信リソースに当たるデータにＲＬＣシーケンス番号割り当て直し及びアップデートが必要であるためＲＬＣシーケンス番号を割り当て直して構成してデータを送信することができる（１２４０）。
【０１７５】
したがって、図９で説明したようにデータ先処理及び他のＲＬＣ階層装置の成功的な伝達に対する指示によるＲＬＣシーケンス番号割り当て直し及びアップデート問題を防止することができる。また、トランスミッタはその次に送信リソースを受信した時（又は決定した時)の他のＲＬＣ階層装置の成功的なデータ送信可否によって残りデータ(例えば、１２４５）に対するＲＬＣシーケンス番号を割り当て直してアップデートできる。
【０１７６】
図１３は、本開示の一実施例によって図１０乃至 １２で説明したパケット重複送信方法を行うトランスミッタの動作を示した図面である。
【０１７７】
図１３を参考すれば、トランスミッタ(端末又は基地局)はＲＬＣシーケンス番号を除いたデータの先処理を行うことができる(１３０５）。以下では端末の動作を例えて説明するが、同一な動作が基地局にも適用されることができる。
【０１７８】
そして、トランスミッタの第１リンクは他のリンク(例えば、第２リンク）で成功的な送信が確認されたデータに対し、前記データが送信されなかったら前記データを破棄することができる。ただ、他のリンクでの成功的な送信の確認されたデータがない場合、前記の過程は省略されることができる。
【０１７９】
以後、トランスミッタはアップリンク送信リソースを受信すると、アップリンク送信リソースを介して送信されるデータに対してＲＬＣシーケンス番号を割り当てて、データを処理することができる(１３１０)。一方、前記トランスミッタが基地局の場合、基地局がダウンリンク送信リソースを割り当てて、前記ダウンリンク送信リソースを介して送信されるデータに対してＲＬＣシーケンス番号を割り当ててデータを処理することができる。
【０１８０】
そして、トランスミッタはアップリンク送信リソースを介してデータを送信することができる(１３１５）。
【０１８１】
一方、図１２による２段階データ処理手続きの場合、図１３のフローチャートが一部変形されて適用されることができる。
【０１８２】
具体的に、トランスミッタは１３０５段階でＲＬＣシーケンス番号割り当てを含むデータ先処理を行うことができる。
【０１８３】
そして、トランスミッタは１３１０段階でアップリンク送信リソースを受信すると、アップリンク送信リソースを介して送信されるデータに対するＲＬＣシーケンス番号割り当て直し及びアップデート必要可否を確認することができる。もし、ＲＬＣシーケンス番号割り当て直し及びアップデートが必要なければ、トランスミッタは送信リソースに当たるようにデータを構成して送信する。
【０１８４】
もし、ＲＬＣシーケンス番号割り当て直し及びアップデートが必要であればトランスミッタは１３１５段階でＲＬＣシーケンス番号を割り当て直してアップデートしてデータを処理し、送信リソースを介して前記データを送信することができる。
【０１８５】
図１４は、本開示の一実施例によってパケット重複送信を用いた時の２つのＲＬＣ階層装置又は２つのデータ送信リンクで発生することができる送信タイミングの不一致を示した図面である。
【０１８６】
図１４で１４０１のように二重接続でトランスミッタ(例えば、端末）はパケット重複送信を用いることができる。前記で二重接続は端末がＬＴＥ基地局及びＮＲ基地局と接続されたスプリットベアラーに動作されることができ、前記スプリットベアラーでパケット重複送信が適用されることができる。前記でＮＲ基地局は高い周波数帯域と広い周波数帯域を用いるからＬＴＥ基地局より高いデータ送信量を提供し、より低い送信遅延を提供する。すなわち、ＮＲ基地局はアップリンク送信リソースをＬＴＥ基地局よりも多くかつ頻繁に割り当てることができる。
【０１８７】
図１４で１４０２はＰＤＣＰシーケンス番号が割り当てされた各データを示す図面である。そして、パケット重複送信に適用されて前記ＰＤＣＰシーケンス番号が割り当てられた各データが複製され、第１ＲＬＣ階層装置と第２ＲＬＣ階層装置でも前記複製されたデータに各ＲＬＣ階層装置の独立されたＲＬＣシーケンス番号をすることができる。しかし、説明の便宜のために図面でＲＬＣシーケンス番号を省略し、以下ではＰＤＣＰシーケンス番号を基準で説明する。
【０１８８】
図１４で１４０５はＰＤＣＰ送信ウィンドウのローワーエッジ(ｌｏｗｅｒ ｅｄｇｅ）を意味し、ＰＤＣＰ＿ＴＸ＿ＮＥＸＴという変数で示すこともできる。また、１４１０は第１ＲＬＣ送信ウィンドウのローワーエッジ(ｌｏｗｅｒ ｅｄｇｅ）を意味し、ＲＬＣ＿ＴＸ＿ＮＥＸＴという変数で示すこともできる。また、１４２０は第２ＲＬＣ送信ウィンドウのローワーエッジ(ｌｏｗｅｒ ｅｄｇｅ）を意味し、ＲＬＣ＿ＴＸ＿ＮＥＸＴという変数で示すこともできる。
【０１８９】
ＰＤＣＰ階層装置は下位階層装置でＰＤＣＰシーケンス番号を割り当てたデータを伝達する度にＰＤＣＰ送信ウィンドウのローワーエッジ１４０５を前記で伝達したＰＤＣＰシーケンス番号の次に移動させる。前記ＰＤＣＰ送信ウィンドウのサイズは２＾（ＰＤＣＰシーケンス番号長さ−１）で計算されることができる。すなわち、ＰＤＣＰ送信ウィンドウのローワーエッジとは、ＰＤＣＰ送信ウィンドウの開始点を意味することができ、送信が完了したデータのシーケンス番号＋１で設定されることができる。
【０１９０】
また、各ＲＬＣ階層装置はＲＬＣ ＵＭモードで動作する場合、ＲＬＣシーケンス番号を割り当ててたデータを伝達するときごとにＲＬＣ送信ウィンドウのローワーエッジ１４１０、１４２０を前記で伝達したＲＬＣシーケンス番号の次に移動させる。前記ＲＬＣ送信ウィンドウのサイズは２＾（ＲＬＣ シーケンス番号長さ−１）で計算されることができる。
【０１９１】
また、各ＲＬＣ階層装置はＲＬＣ ＡＭモードで動作する場合、ＲＬＣシーケンス番号を割り当てたデータを伝達するときごとではなくレシーバーからＲＬＣ状態報告（ＲＬＣ Ｓｔａｔｕｓ ＰＤＵ）を受けて、前記ＲＬＣ状態報告でＡＣＫを受けたＲＬＣシーケンス番号のうちの最も低いＲＬＣシーケンス番号ながら前記ＲＬＣシーケンス番号より小さなＲＬＣシーケンス番号に対してはＡＣＫをすべての受信した場合、ＲＬＣ送信ウィンドウのローワーエッジ１４１０、１４２０を前記ＲＬＣシーケンス番号の次に移動させる。前記ＲＬＣ送信ウィンドウのサイズは ２＾（ＲＬＣ シーケンス番号長さ−１）で計算されることができる。
【０１９２】
図１４の１４０２で第１ＲＬＣ階層装置に該当するリンクで基地局（例えば、ＬＴＥ基地局）からアップリンク送信リソース１４１５を割り当てられると、ＰＤＣＰ階層装置は前記アップリンク送信リソースに該当するほどのデータを下位ＲＬＣ階層装置に伝達してＰＤＣＰ送信ウィンドウのローワーエッジを１４０５のように移動させる。そして、第１ＲＬＣ階層装置は前記アップリンク送信リソースに該当するほどのデータを送信し、第１ＲＬＣ送信ウィンドウのローワーエッジを１４１０のように移動させることができる。
【０１９３】
図１４の１４０３で第２ＲＬＣ階層装置に該当するリンクで基地局（例えば、ＮＲ基地局）からアップリンク送信リソース１４３５が割り当てられると、ＰＤＣＰ階層装置は前記アップリンク送信リソースに該当するほどのデータを下位ＲＬＣ階層装置に伝達して(第２ＲＬＣ階層装置でもう伝達したデータのサイズを考慮して)ＰＤＣＰ送信ウィンドウのローワーエッジを１４２５のように移動させる。そして、第２ＲＬＣ階層装置は前記アップリンク送信リソースに該当するほどのデータを送信し、第２ＲＬＣ送信ウィンドウのローワーエッジを１４３０のように移動させることができる。
【０１９４】
図１４の１４０４で第２ＲＬＣ階層装置に該当するリンクで基地局（例えば、ＮＲ基地局）からアップリンク送信リソース１４４５を割り当て直されると、ＰＤＣＰ階層装置は前記アップリンク送信リソースに該当するほどのデータを下位ＲＬＣ階層装置に伝達して(第２ＲＬＣ階層装置でもう伝達したデータのサイズを考慮して)ＰＤＣＰ送信ウィンドウのローワーエッジを １４４０のように移動させる。そして、第２ＲＬＣ階層装置は前記アップリンク送信リソースに該当するほどのデータを送信し、第２ＲＬＣ送信ウィンドウのローワーエッジを１４５０のように移動させることができる。
【０１９５】
したがって、図１４の１４０４を見ると、第１ＲＬＣ階層装置は次の送信でＰＤＣＰシーケンス番号２番に該当するデータを送信するようになり、第２ＲＬＣ階層装置はＰＤＣＰシーケンス番号８番に該当するデータを送信するようになる。すなわち、ＬＴＥ基地局とＮＲ基地局と二重接続にパケット重複送信を用いる場合にはパケット重複を送信する時点に差が発生して送信遅延が重要なＲＬＣ ＵＭモードで一方のＲＬＣ階層装置であんまり遅くデータを送信する問題が発生する。また、同一なデータの重複送信時点が１４１５と１４５０のように差がひどく発生してパケット重複送信の効率が落ちることができる。また、前記問題はキャリアアグリゲーションにパケット重複送信を用いる場合にも発生することができる。
【０１９６】
一方、本図面ではＬＴＥ基地局とＮＲ基地局の二重接続を例えて説明するが、本発明の実施例がここに限定されるのではなく、ＬＴＥ基地局とＬＴＥ基地局又はＮＲ基地局とＮＲ基地局の間に二重接続が用いられる場合にも同様に適用されることができる。また、本発明では二重接続を用いる基地局を第１ 基地局、第２基地局などと称することができる。
【０１９７】
前記で発生する重複送信時点の差問題はＲＬＣ ＡＭモードを用いるパケット重複送信では解決が可能である。何故ならば、前記図９で説明したようにＲＬＣ ＡＭモードで動作する場合、一つのＲＬＣ階層装置でどんなデータの成功的な伝達がＲＬＣ状態報告で確認された場合、他のＲＬＣ階層装置で前記データを破棄することができるからである。すなわち、前記重複送信時点の差問題はＲＬＣ ＵＭモードを用いるパケット重複送信で深刻に発生することができる。
【０１９８】
図１５は、本開示の一実施例によってＲＬＣ ＵＭモードでパケット重複送信を用いる時の発生することができる重複送信時点差問題を解決するための第１実施例を示した図面である。
【０１９９】
図１５でトランスミッタ(端末又は基地局）はパケット重複送信が活性化されると、タイマーを設定してタイマーが満了する度に又は周期的にＰＤＣＰ送信ウィンドウローワーエッジ(１５０１）を基準で第１ＲＬＣ階層装置と第２ＲＬＣ階層装置のデータ（例えば、ＲＬＣ ＳＤＵ又はＲＬＣ ＰＤＵ）を破棄することができる。
【０２００】
例えば、図１４で説明したように同一なパケットに対するパケット重複送信時点が第１ＲＬＣ階層装置１５１０と第２ＲＬＣ階層装置で大きい差があることができる（１５０５）。したがって、ＲＬＣ ＵＭモードでパケット重複送信が活性化されると、タイマーを設定してタイマーが満了する度に又は周期的にＰＤＣＰ送信ウィンドウローワーエッジ１５０１を基準で第１ＲＬＣ階層装置と第２ＲＬＣ階層装置のデータ(例えば、ＲＬＣ ＳＤＵ又はＲＬＣ ＰＤＵ）を破棄することができる（１５１５）。
【０２０１】
すなわち、前記ＰＤＣＰ階層装置はＰＤＣＰ送信ウィンドウローワーエッジより小さいＰＤＣＰシーケンス番号に対しては破棄するためのインジケータを第１ＲＬＣ階層装置と第２ＲＬＣ階層装置で送信することができ、前記ＲＬＣ階層装置は前記指示に該当するデータを破棄することができる(また他の方法で前記で破棄しようとするデータの一部(ｓｅｇｍｅｎｔ）が送信されると、前記データは破棄しないこともある）。
【０２０２】
そして、第１ＲＬＣ階層装置は送信ＲＬＣウィンドウのローワーエッジを前記ＰＤＣＰ階層装置の送信ＰＤＣＰウィンドウのローワーエッジのＰＤＣＰシーケンス番号に相応する第１ＲＬＣシーケンス番号に当たるように移動して一致させることができる（１５０４）。
【０２０３】
また、第２ＲＬＣ階層装置は送信ＲＬＣウィンドウのローワーエッジを前記ＰＤＣＰ階層装置の送信ＰＤＣＰウィンドウのローワーエッジのＰＤＣＰシーケンス番号に相応する第２ＲＬＣシーケンス番号に当たるように送信ＲＬＣウィンドウのローワーエッジを移動して一致させることができる（１５０３）。
【０２０４】
したがって、前記のように周期的に又はタイマーが満了する時ごとに第１ＲＬＣ階層装置と第２ＲＬＣ階層装置のパケット重複送信時点を一致させることができる（ｔｒａｎｓｍｉｓｓｉｏｎ ｔｉｍｅ ａｌｉｇｎｍｅｎｔ、１５０１）。
【０２０５】
一方、本発明はＰＤＣＰ階層でＲＬＣ階層にデータを破棄することを指示する方法を説明したが、本発明の範囲がここに限定されるのではない。すなわち、ＲＬＣ階層でタイマーを動作させることができ、前記タイマーの満了によってデータを破棄してＲＬＣウィンドウのローワーエッジをＰＤＣＰウィンドウのローワーエッジに当たるように移動させることができる。
【０２０６】
図１６は、本開示の一実施例によって図１４で説明したＲＬＣ ＵＭモードでパケット重複送信を用いる時に発生することができる重複送信時点差問題を解決するための第２実施例を示した図面である。
【０２０７】
図１６でトランスミッタ(端末又は基地局）はパケット重複送信が活性化になればＰＤＣＰシーケンス番号又はＲＬＣシーケンス番号基準で第１ＲＬＣ階層装置のＲＬＣ送信ウィンドウのローワーエッジに該当するＰＤＣＰシーケンス番号（又はＲＬＣシーケンス番号）と第２ＲＬＣ階層装置のＲＬＣ送信ウィンドウのローワーエッジに該当するＰＤＣＰシーケンス番号（又はＲＬＣシーケンス番号）の差が設定されたしきい値を超過すると、ＰＤＣＰ送信ウィンドウローワーエッジ１６０１を基準で第１ＲＬＣ階層装置と第２ＲＬＣ階層装置のデータ(例えば、ＲＬＣ ＳＤＵ又はＲＬＣ ＰＤＵ）を破棄することができる。
【０２０８】
前記しきい値は基地局がＲＲＣメッセージで設定することができ、又は端末具現で設定することができる。また、前記ＰＤＣＰ階層装置と第１ＲＬＣ階層装置と第２ＲＬＣ階層装置はＰＤＣＰシーケンス番号と第１ＲＬＣシーケンス番号と第２ＲＬＣシーケンス番号の間のマッピングテーブル情報を活用してデータ送信時点差をＰＤＣＰシーケンス番号又はＲＬＣシーケンス番号の差で計算することができる。
【０２０９】
例えば、１６０５のように同一なパケットに対するパケット重複送信時点が第１ＲＬＣ階層装置と第２ＲＬＣ階層装置で大きい差があることもある（１６１０）。
【０２１０】
したがって、ＲＬＣ ＵＭモードでパケット重複送信が活性化されると、設定されたしきい値によってＰＤＣＰシーケンス番号又はＲＬＣシーケンス番号基準で第１ＲＬＣ階層装置のＲＬＣ送信ウィンドウのローワーエッジに該当するＰＤＣＰシーケンス番号(又はＲＬＣシーケンス番号）と第２ＲＬＣ階層装置のＲＬＣ送信ウィンドウのローワーエッジに該当するＰＤＣＰシーケンス番号（又はＲＬＣシーケンス番号）の差を計算して比べて設定されたしきい値を超過すると、ＰＤＣＰ送信ウィンドウローワーエッジ１６０１を基準で第１ＲＬＣ階層装置と第２ＲＬＣ階層装置のデータ（例えば、ＲＬＣ ＳＤＵ又はＲＬＣ ＰＤＵ）を破棄することができる（１６１５）。
【０２１１】
すなわち、前記ＰＤＣＰ階層装置はＰＤＣＰ送信ウィンドウローワーエッジより小さいＰＤＣＰシーケンス番号に対しては破棄するためのインジケーターを第１ＲＬＣ階層装置と第２ＲＬＣ階層装置で送信することができ、前記ＲＬＣ階層装置は前記指示に該当するデータを破棄することができる(また他の方法で前記で破棄しようとするデータの一部ｓｅｇｍｅｎｔ）が送信されると、前記データは破棄しないこともある）。
【０２１２】
そして、トランスミッタは第１ＲＬＣ階層装置の送信ＲＬＣウィンドウのローワーエッジを前記ＰＤＣＰ階層装置の送信ＰＤＣＰウィンドウのローワーエッジのＰＤＣＰシーケンス番号に相応する第１ＲＬＣシーケンス番号に当たるように移動して一致させることができる（１６０４）。
【０２１３】
また、トランスミッタは第２ＲＬＣ階層装置の送信ＲＬＣウィンドウのローワーエッジを前記ＰＤＣＰ階層装置の送信ＰＤＣＰウィンドウのローワーエッジのＰＤＣＰシーケンス番号に相応する第２ＲＬＣシーケンス番号に当たるように移動して一致させることができる（１６０３）。
【０２１４】
したがって、前記のようにシーケンス番号差(Ｇａｐ）を用いて重複送信時点の差が大きく発生したか否かを計算することができ、設定されたしきい値より差が大きくなれば第１ＲＬＣ階層装置と第２ＲＬＣ階層装置の同一なパケットに対するパケット重複送信時点を前記提案したように一致させることができる(ｔｒａｎｓｍｉｓｓｉｏｎ ｔｉｍｅ ａｌｉｇｎｍｅｎｔ、１６０６）。
【０２１５】
図１７は、本開示の一実施例によって図１５及び図１６で説明したパケット重複送信時点の同期化方法を行う端末動作を示した図面である。
【０２１６】
図１７でトランスミッタ(端末又は基地局）はパケット重複送信がＲＲＣメッセージと設定されて、ＲＲＣ メッセージ又は ＭＡＣ ＣＥ 情報でパケット重複送信が活性化されることができる。これによってトランスミッタはパケット重複送信手続きを行うことができる（１７０５）。
【０２１７】
前記でトランスミッタは予め定められた条件によって重複パケットを破棄することができる。具体的に、トランスミッタは一定周期ごとに又はＰＤＣＰシーケンス番号又はＲＬＣシーケンス番号基準で第１ＲＬＣ階層装置のＲＬＣ送信ウィンドウのローワーエッジに該当するＰＤＣＰシーケンス番号（又はＲＬＣシーケンス番号）と第２ＲＬＣ階層装置のＲＬＣ送信ウィンドウのローワーエッジに該当するＰＤＣＰシーケンス番号（又はＲＬＣシーケンス番号）の差が設定されたしきい値を超過すると、ＰＤＣＰ送信ウィンドウローワーエッジを基準で第１ＲＬＣ階層装置と第２ＲＬＣ階層装置のデータ（例えば、ＲＬＣ ＳＤＵ又はＲＬＣ ＰＤＵ）を破棄することができる（１７１０）。例えば、トランスミッタは一定周期又は第１ＲＬＣ階層装置と第２ＲＬＣ階層装置で送信完了したデータのシーケンス番号(ＰＤＣＰ又はＲＬＣシーケンス番号）の差がしきい値を超過すると、ＰＤＣＰ階層で送信完了されたデータを破棄することができる。また他の例で、トランスミッタは一定周期又は第１ＲＬＣ階層装置と第２ＲＬＣ階層装置で次に送信するデータのシーケンス番号(ＰＤＣＰ又はＲＬＣシーケンス番号）の差がしきい値を超過すると、ＰＤＣＰ階層で送信完了されたデータを破棄することができる。
【０２１８】
前記一定周期は上述したタイマーの値に基づいて決定されるか又は基地局によって設定されるか予め定められる。また、前記しきい値は予め定められるか、基地局がＲＲＣメッセージで設定することができ、又は端末具現で設定することができる。
【０２１９】
また、前記ＰＤＣＰ階層装置と第１ＲＬＣ階層装置と第２ＲＬＣ階層装置はＰＤＣＰシーケンス番号と第１ＲＬＣシーケンス番号と第２ＲＬＣシーケンス番号の間のマッピングテーブル情報を活用してデータ送信時点差をＰＤＣＰシーケンス番号又はＲＬＣシーケンス番号差で計算し出すことができる。
【０２２０】
したがって、前記のようにシーケンス番号差（Ｇａｐ）を用いて重複送信時点の差が大きく発生したか否かを計算することができ、設定されたしきい値より差が大きくなれば、又は一定周期ごとに第１ＲＬＣ階層装置と第２ＲＬＣ階層装置の同一なパケットに対するパケット重複送信時点を同期化させる（１７１５）。
【０２２１】
すなわち、トランスミッタは第１ＲＬＣ階層装置の送信ＲＬＣウィンドウのローワーエッジを前記ＰＤＣＰ階層装置の送信ＰＤＣＰウィンドウのローワーエッジのＰＤＣＰシーケンス番号に相応する第１ＲＬＣシーケンス番号に当たるように送信ＲＬＣウィンドウのローワーエッジを移動して一致させることができる。また、第２ＲＬＣ階層装置の送信ＲＬＣウィンドウのローワーエッジを前記ＰＤＣＰ階層装置の送信ＰＤＣＰウィンドウのローワーエッジのＰＤＣＰシーケンス番号に相応する第２ＲＬＣシーケンス番号に当たるように送信ＲＬＣウィンドウのローワーエッジを移動して一致させることができる。
【０２２２】
そして、トランスミッタはパケット重複送信手続きを続いて行うことができる（１７２０）。
【０２２３】
図１８は、本開示の一実施例によってベアラーのデータ送信率を高める方法を示した図面である。
【０２２４】
図１８を参考すれば、本発明の次世代移動通信システムで基地局が端末にキャリアアグリゲーションを用いたパケット重複送信(ＣＡ ｐａｃｋｅｔ ｄｕｐｌｉｃａｔｉｏｎ）を特定ベアラーと設定することができる。この時、基地局は前記ベアラーに対するダウンリンク送信でデータを重複せず、互いに異なるデータを第１ＲＬＣ階層装置（第１ロジカルチャンネル識別子）と第２ＲＬＣ階層装置（第２ ロジカルチャンネル識別子）でそれぞれ送信して前記ベアラーのデータ送信率を高めることができ、これをダウンリンクキャリアアグリゲーション基盤スプリットベアラー（ＤＬ ＣＡ ｓｐｌｉｔ ｂｅａｒｅｒ）と称することができる。
【０２２５】
前記本発明で提案するダウンリンクキャリアアグリゲーション基盤スプリットベアラーはダウンリンク二重接続基盤パケット重複送信にも同様に拡張されて適用されることができる。
【０２２６】
端末は基地局から前記図５で説明したようにＲＲＣメッセージでパケット重複送信に対する設定を受信すると、パケット重複送信を用いることができる。
【０２２７】
前記パケット重複送信がキャリアアグリゲーションで設定された場合（１８１０）、前記パケット重複送信が設定されたベアラー又はＰＤＣＰ階層装置に対して２つのＲＬＣ階層装置、すなわち、第１ＲＬＣ階層装置（ｐｒｉｍａｒｙ ＲＬＣ ｅｎｔｉｔｙ）と第２ＲＬＣ階層装置（Ｓｅｃｏｎｄａｒｙ ＲＬＣ ｅｎｔｉｔｙ）が設定されることができる。
【０２２８】
そして、もしパケット重複送信が非活性化されていると、アップリンク送信でＰＤＣＰ階層装置は第１ＲＬＣ階層装置にだけ伝達して送信し、第２ＲＬＣ階層装置では送信しない。
【０２２９】
もし、パケット重複送信が活性化されていると、アップリンク送信でＰＤＣＰ階層装置は下位２つのＲＬＣ階層装置(第１ＲＬＣ階層装置と第２ＲＬＣ階層装置）で同一なパケットを重複してそれぞれ送信することができる。すなわち、ＰＤＣＰ階層は一つのパケットを第１ＲＬＣ階層装置へ伝達し、前記パケットを複製して同一なパケットを第２ＲＬＣ階層装置へ伝達することができる。
【０２３０】
前記でキャリアアグリゲーションでパケット重複送信が設定され、活性化された場合、ＭＡＣ階層装置１８１５は互いに異なるロジカルチャンネル識別子を有する第１ＲＬＣ階層装置と第２ＲＬＣ階層装置からそれぞれの伝達されたデータを互いに異なるキャリアを介して送信することができる。
【０２３１】
前記手続きはアップリンクデータ送信に関するもので、ダウンリンクデータ受信に対して端末はパケット重複送信が適用されたダウンリンクデータを常に受信するべきである（１８１０）。すなわち、アップリンクパケット重複送信が非活性化されていてアップリンクデータを第２ＲＬＣ階層装置でデータを重複して伝達することはできなくても第２ＲＬＣ階層装置はダウンリンクデータをＭＡＣ階層装置から受信して処理してＰＤＣＰ階層装置へ伝達しなければならない。
【０２３２】
前記で説明したように図１８で端末はパケット重複送信が設定されると、第１ＲＬＣ階層装置（第１ロジカルチャンネル識別子）と第２ＲＬＣ階層装置（第２ロジカルチャンネル識別子）に対して常にダウンリンクデータを受信することができる。したがって、端末は１８１０のように基地局から重複されたデータを第１ＲＬＣ階層装置（第１ ロジカルチャンネル識別子）と第２ＲＬＣ階層装置（第２ロジカルチャンネル識別子）を介して受信することができ、１８１５のように基地局から互いに異なるデータを第１ＲＬＣ階層装置（第１ロジカルチャンネル識別子）と第２ＲＬＣ階層装置（第２ロジカルチャンネル識別子）を介して受信することができる。
【０２３３】
本発明では基地局が端末の特定ベアラーに対してキャリアアグリゲーションを用いたパケット重複送信を設定し、必要によって前記ベアラーにパケット重複送信を用いてダウンリンクに対して低い送信遅延と高い信頼性を保障するようにして（１８２５）、また、必要によって前記ベアラーにパケット重複送信を使用せず互いに異なるデータを送信してダウンリンクに対して高いデータ送信率を保障するようにする（１８３０）。
【０２３４】
すなわち、本発明では基地局が端末の特定ベアラーに対してキャリアアグリゲーションを用いたパケット重複送信を設定し、必要によって前記ベアラーに対して第１ＲＬＣ階層装置（第１ロジカルチャンネル識別子）と第２ＲＬＣ階層装置（第２ ロジカルチャンネル識別子）で互いに異なるダウンリンクデータを送信して高いダウンリンクデータ送信率をサポートする方法を提案する（１８３０）。
【０２３５】
前記のような方法を介して端末は前記ベアラーに対して互いに異なるデータを互いに異なるキャリアから受信するようになり、前記互いに異なるデータは互いに異なるロジカルチャンネル識別子によって処理されるから高いデータ送信率をサポートされることができる。また、互いに異なるデータが２つのＲＬＣ階層装置で処理されるから並列処理効果を得てデータ受信処理もより速やかに行われることができる。
【０２３６】
前記本発明で提案するダウンリンクキャリアアグリゲーション基盤スプリットベアラーはダウンリンク二重接続基盤パケット重複送信にも同様に拡張されて適用されることができる。
【０２３７】
図１９Ａ 及び図１９Ｂは、本開示の一実施例によってパケット重複送信が設定されたベアラーに他のデータを送信してベアラーのデータ送信率を高める方法を示した図面である。
【０２３８】
図１９Ａを参考すれば、基地局は特定ベアラーに対してパケット重複送信を設定することができる(１９０５）。すなわち、基地局は一つのＰＤＣＰ階層装置に対して２つのＲＬＣ階層装置に対する設定を送信することができる。また、基地局は前記パケット重複送信に対する設定情報をＲＲＣメッセージを介して送信することができる。この時、一つのＰＤＣＰ階層装置の設定と２つのＲＬＣ階層装置の設定が連関されてパケット重複送信が設定されることができ、前記パケット重複送信の設定可否を指示するインジケーターがＲＲＣメッセージを介して送信されることができる。パケット重複送信の設定方法に対しては本実施例だけではなく、本発明の全般に適用されることができる。
【０２３９】
そして、基地局は前記パケット重複送信が設定されたベアラーに対するデータ送信率の向上が必要である否かを確認することができる(１９１０)。
【０２４０】
データ送信率の向上が必要であると判断される場合、基地局は２つのＲＬＣ階層装置に対して互いに異なるデータを送信することができる(１９１５）。このような方法を介して基地局はデータの送信率を向上させることができる。
【０２４１】
図１９Ｂを参考すれば、端末は特定ベアラーに対してパケット重複送信を設定することができる(１９２０)。
【０２４２】
すなわち、端末は一つのＰＤＣＰ階層装置に対して２つのＲＬＣ階層装置に対する設定を受信することができる。また、端末は前記パケット重複送信に対する設定情報をＲＲＣメッセージを介して受信することができる。
【０２４３】
そして、前記パケット重複送信が設定されたベアラーに対するデータ送信率の向上が必要な場合、端末は２つのＲＬＣ階層装置に対して互いに異なるデータを受信することができる(１９２５）。
【０２４４】
一方、本発明の内容はアップリンクにも同様に適用されることができる。すなわち、端末は特定ベアラーに対してパケット重複送信を設定された後、基地局の指示又は端末の判断によって前記パケット重複送信が設定されたベアラーに対して互いに異なるデータを基地局に送信することができる。具体的な動作はダウンリンクと類似であるから以下では省略する。
【０２４５】
また、本発明の内容は基地局具現の一例であるＣＵ−ＤＵ(ｃｅｎｔｒａｌ ｕｎｉｔ ａｎｄ ｄｉｓｔｒｉｂｕｔｅｄ Ｕｎｉｔ)ｓｐｌｉｔ構造にも確張して適用することができる。すなわち、ＣＵでＰＤＣＰ階層装置を管理し、ＤＵで残り下位階層装置（ＲＬＣ階層装置、ＭＡＣ階層装置、ＰＨＹ階層装置）を管理する構造でも前記本発明の内容が拡張されて適用されることができる。
【０２４６】
図２０は、本開示の一実施例によって次世代移動通信システムでサポートするＭＡＣ ＰＤＵの構造を示した図面である。
【０２４７】
図２０でＬＴＥシステムでサポートするＭＡＣ ＰＤＵの構造２００１はすべてのＭＡＣ ＳＤＵ又はＭＡＣ制御情報に該当するＭＡＣヘッダー部分がいずれも前方に位置し、データに該当するすべてのＭＡＣ ＳＤＵ又はＭＡＣ ＣＥは後方に位置する構造を有している。したがって、ＭＡＣ制御情報をアップデートしたり除去したり追加しにくい構造である。何故ならば、ＭＡＣ ＣＥのヘッダー２００５は前方に位置し、ＭＡＣ ＣＥの制御情報部分２０１０は中間にあるからである。
【０２４８】
図２０で２００２は次世代移動通信システムのダウンリンクでサポートするＭＡＣ ＰＤＵの構造を示した図面である。次世代移動通信システムではヘッダーとデータが一つの単位として繰り返されるＭＡＣ ＰＤＵ構造をサポートする。すなわち、ＭＡＣ ＰＤＵはヘッダーとデータ、そしてヘッダーとデータのような手順で繰り返される構造を有している。また、２００２のようにダウンリンクでサポートするＭＡＣ ＰＤＵ 構造でＭＡＣ ＣＥは常に前方に位置して（２０１５)端末がＭＡＣ制御情報を速やかに読み取ることができる。
【０２４９】
図２０で２００３は次世代移動通信システムのアップリンクでサポートするＭＡＣ ＰＤＵの構造を示した図面である。次世代移動通信システムではヘッダーとデータが一つの単位として繰り返されるＭＡＣ ＰＤＵ構造をサポートする。すなわち、ＭＡＣ ＰＤＵはヘッダーとデータ、そしてヘッダーとデータのような手順で繰り返される構造を有している。また、２００３のようにアップリンクでサポートするＭＡＣ ＰＤＵ構造でＭＡＣ ＣＥを常に後端に置するようにして（２０２０）端末が一般的なデータは先に処理して生成して並列的に動的なＭＡＣ制御情報を後で処理して生成するようにしてプロセッシングタイムを減らすようにする。
【０２５０】
前記説明したように次世代移動通信システムではＭＡＣ制御情報が分離してＭＡＣ ＰＤＵ 構造の前端又は後端に位置するようになってアップデートしたり除去したり追加しやすい構造である。
【０２５１】
図２１は、本開示の一実施例によって基地局がＭＡＣ制御情報を重複して送信する方法を示した図面である。
【０２５２】
図２１のように基地局がＭＡＣ制御情報を重複して送信する方法を介してＭＡＣ制御情報の信頼性を高めて送信遅延を減らすことができる。
【０２５３】
次世代移動通信システムでは基地局がＰＤＣＣＨを介して送信される制御情報を用いて端末にＫ０ほどの時間単位(例えば、ｓｌｏｔ)後にダウンリンクデータを受信する時間及び周波数送信リソースを指示することができる（２１２０）。そして、基地局は前記ダウンリンクデータを受信した時点からＫ１ほどの時間単位後にＡＣＫ／ＮＡＣＫを報告することを指示することができる（２１２５）。
【０２５４】
次世代移動通信システムで基地局が端末にダウンリンクに送信するＭＡＣ制御情報は非常に多い種類を有している。特に、次世代移動通信システムでは高い周波数帯域をサポートして複数個のビーム又は狭い幅を有したビームを用いることをサポートするからビームに係る設定情報をＭＡＣ制御情報と設定することができる。また、前記ＭＡＣ制御情報は再送信されるか送信遅延が発生すると、基地局のビームと端末のビームが時間によって速やかに変化することができるから無線リンクの劣化を発生させることができる。
【０２５５】
したがって、本発明では基地局が数バイトのＭＡＣ制御情報のみを重複送信して端末に速やかにＭＡＣ制御情報を受信することができるようにする方法を提案する。
【０２５６】
基地局はＭＡＣ制御情報を端末に送信する必要が生じれば ＭＡＣ ＰＤＵ２１０５の前にＭＡＣ制御情報を挿入して端末に送信することができる（２１１０）。そして、前記端末にまた他のＭＡＣ ＰＤＵを送信する時の前記ＭＡＣ制御情報を複製した重複ＭＡＣ制御情報をＭＡＣ ＰＤＵの前に挿入して重複送信して(２１１５)前記ＭＡＣ制御情報の信頼性を高めて送信遅延を減らすことができる。
【０２５７】
次世代移動通信システムで基地局は一つの端末に対してダウンリンクデータを送信した後に前記送信したダウンリンクデータに対するＡＣＫ／ＮＡＣＫ 情報を前記ダウンリンクデータを送信した後のＫ０＋Ｋ１時間後に受信するようになる。基地局は前記送ったダウンリンクデータに対するＡＣＫ／ＮＡＣＫ情報を確認して前記端末にダウンリンクデータ（ＭＡＣ ＰＤＵ）を再送信することができる。
【０２５８】
したがって、基地局のＭＡＣ階層装置は一つの端末に対してＭＡＣ制御情報を含むダウンリンクデータを送信した後のＫ０＋Ｋ１時間内にまた他のダウンリンクデータを前記端末に送信する場合に対して前記ＭＡＣ制御情報を重複して送信することができる。すなわち、基地局は前記送信したダウンリンクデータに対するＡＣＫ／ＮＡＣＫ情報を確認する前に前記端末にまた他のダウンリンクデータを前記端末に送信する場合にＭＡＣ制御情報を重複して送信することができる。
【０２５９】
前記で端末は重複されたＭＡＣ制御情報を受信した場合、重複されたＭＡＣ制御情報を処理して制御情報を読み込み、重複処理しても問題が発生しない。したがって、初めに送信したダウンリンクデータが遺失されるか送信に失敗した場合、重複されたＭＡＣ制御情報が含まれたその次ダウンリンクデータが成功的に受信されることができるからＭＡＣ制御情報の信頼性を高めて、送信遅延を低めることができる。
【０２６０】
図２２は、本開示の一実施例によって基地局がＭＡＣ制御情報を重複して送信する方法を示したフローチャートである。
【０２６１】
図２２を参考すれば、基地局はＭＡＣ ＣＥの送信が必要であるか否かを判断することができる(２２０５）。
【０２６２】
ＭＡＣ ＣＥの送信が必要な場合、基地局は互いに異なる二つのダウンリンクデータに対して ＭＡＣ ＣＥを重複して送信することができる(２２１５）。
【０２６３】
すなわち、基地局はデータにＭＡＣ制御情報を挿入して端末に送信し、他の時点に送信される他のデータに前記ＭＡＣ制御情報を複製して重複送信することによってＭＡＣ制御情報の信頼性を高めて送信遅延を減らすことができる。
【０２６４】
また、基地局は一定時間内に(送信したデータに対してＡＣＫ／ＮＡＣＫ情報を確認する前に)また他のデータを送信する場合に前記ＭＡＣ制御情報を重複して送信することができる。
【０２６５】
したがって、端末はＭＡＣ ＣＥが挿入されたデータを受信し、前記ＭＡＣ ＣＥが複製されて重複送信されたまた他のデータを受信することができ、前記重複されたＭＡＣ制御情報を処理することができる。
【０２６６】
図２３は、本開示の一実施例による端末の構造を図示した。
【０２６７】
前記図面を参考すれば、前記端末はＲＦ（Ｒａｄｉｏ Ｆｒｅｑｕｅｎｃｙ）処理部２３１０、基底帯域（ｂａｓｅｂａｎｄ）処理部２３２０、記憶部２３３０、制御部２３４０(すなわち、少なくとも一つのプロセッサ）を含む。前記制御部２３４０は少なくとも一つの多重接続プロセッサ２３４２を含むことができる
【０２６８】
前記ＲＦ処理部２３１０は信号の帯域変換、増幅など無線チャンネルを介して信号を送受信するための機能を行う。すなわち、前記ＲＦ処理部２３１０は前記基底帯域処理部２３２０から提供される基底帯域信号をＲＦ帯域信号でアップコンバートした後にアンテナを介して送信し、前記アンテナを介して受信されるＲＦ帯域信号を基底帯域信号でダウンコンバートする。例えば、前記ＲＦ処理部２３１０は送信フィルター、受信フィルター、増幅器、ミキサー（ｍｉｘｅｒ）、オシレーター（ｏｓｃｉｌｌａｔｏｒ）、ＤＡＣ（ｄｉｇｉｔａｌ ｔｏ ａｎａｌｏｇ ｃｏｎｖｅｒｔｏｒ）、ＡＤＣ（ａｎａｌｏｇ ｔｏ ｄｉｇｉｔａｌ ｃｏｎｖｅｒｔｏｒ)などを含むことができる。前記図面で、一つのアンテナだけが図示されたが、前記端末は多数のアンテナを備えることができる。また、前記ＲＦ処理部２３１０は多数のＲＦチェーンを含むことができる。ひいては、前記ＲＦ処理部２３１０はビームフォーミング（ｂｅａｍｆｏｒｍｉｎｇ）を行うことができる。前記ビームフォーミングのために、前記ＲＦ処理部２３１０は多数のアンテナ又はアンテナ要素（ｅｌｅｍｅｎｔ）を介して送受信される信号のそれぞれの位相及びサイズを調節することができる。また、前記ＲＦ処理部はＭＩＭＯを行うことができ、ＭＩＭＯ動作実行時のいくつかのレイヤーを受信することができる。前記ＲＦ処理部２３１０は制御部の制御によって多数のアンテナ又はアンテナ要素を適切に設定して受信ビームスイーピングを行うか、受信ビームが送信ビームと共助されるように受信ビームの方向とビーム幅を調整することができる。
【０２６９】
前記基底帯域処理部２３２０はシステムの物理階層規格によって基底帯域信号及びビット列の間変換機能を行う。例えば、データ送信時、前記基底帯域処理部２３２０は送信ビット列を符号化及び変調することによって複素シンボルを生成する。また、データ受信時、前記基底帯域処理部２３２０は前記ＲＦ処理部２３１０から提供される基底帯域信号を復調及び復号化を介して受信ビット列を復元する。例えば、ＯＦＤＭ方式に従う場合、データ送信時、前記基底帯域処理部２３２０は送信ビット列を符号化及び変調することで複素シンボルを生成し、前記複素シンボルをサブキャリアにマッピングした後、ＩＦＦＴ(ｉｎｖｅｒｓｅ ｆａｓｔ Ｆｏｕｒｉｅｒ ｔｒａｎｓｆｏｒｍ)演算及びＣＰ(ｃｙｃｌｉｃ ｐｒｅｆｉｘ)挿入を介してＯＦＤＭシンボルを構成する。また、データ受信時、前記基底帯域処理部２３２０は前記ＲＦ処理部２３１０から提供される基底帯域信号を ＯＦＤＭシンボル単位で分割し、ＦＦＴ（ｆａｓｔ Ｆｏｕｒｉｅｒ ｔｒａｎｓｆｏｒｍ)演算を介してサブキャリアにマッピングされた信号を復元した後、復調及び復号化を介して受信ビット列を復元する。
【０２７０】
前記基底帯域処理部２３２０及び前記ＲＦ処理部２３１０は上述したように信号を送信及び受信する。これによって、前記基底帯域処理部２３２０及び前記ＲＦ処理部２３１０は送信部、受信部、送受信部又は通信部と指称されることができる。ひいては、前記基底帯域処理部２３２０及び前記ＲＦ処理部２３１０のうちの少なくとも一つは互いに異なる多数の無線接続技術をサポートするために多数の通信モジュールを含むことができる。また、前記基底帯域処理部２３２０及び前記ＲＦ処理部２３１０のうちの少なくとも一つは互いに異なる周波数帯域の信号を処理するために互いに異なる通信モジュールを含むことができる。例えば、前記互いに異なる無線接続技術はＬＴＥ網、ＮＲ網などを含むことができる。また、前記互いに異なる周波数帯域は超高周波（ＳＨＦ：ｓｕｐｅｒ ｈｉｇｈ ｆｒｅｑｕｅｎｃｙ）（例えば、２．２ｇＨｚ、２ｇｈｚ)帯域、ｍｍ波（ｍｉｌｌｉｍｅｔｅｒ ｗａｖｅ）（例えば、６０ＧＨｚ)帯域を含むことができる。
【０２７１】
前記記憶部２３３０は前記端末の動作のための基本プログラム、アプリケーションプログラム、設定情報などのデータを記憶する。前記記憶部２３３０は前記制御部２３４０のリクエストによって記憶されたデータを提供する。
【０２７２】
前記制御部２３４０は前記端末の全般的な動作を制御する。例えば、前記制御部２３４０は前記基底帯域処理部２３２０及び前記ＲＦ処理部２３１０を介して信号を送受信する。また、前記制御部２３４０は前記記憶部２３４０にデータを記録し、読む。このために、前記制御部２３４０は少なくとも一つのプロセッサ（ｐｒｏｃｅｓｓｏｒ）を含むことができる。例えば、前記制御部２３４０は通信のための制御を行うＣＰ（ｃｏｍｍｕｎｉｃａｔｉｏｎ ｐｒｏｃｅｓｓｏｒ)及びアプリケーションプログラムなどの上位階層を制御するＡＰ（ａｐｐｌｉｃａｔｉｏｎ ｐｒｏｃｅｓｓｏｒ）を含むことができる。
【０２７３】
図２４は、本開示の一実施例による無線通信システムでＴＲＰのブロック構成を示す。
【０２７４】
前記図面に示されたように、前記基地局はＲＦ処理部２４１０、基底帯域処理部２４２０、バックホール通信部２４３０、記憶部２４４０、制御部２４５０（すなわち、少なくとも一つのプロセッサ）を含んで構成される。前記制御部２４５０は少なくとも一つの多重接続プロセッサ２４５２を含むことができる
【０２７５】
前記ＲＦ処理部２４１０は信号の帯域変換、増幅など無線チャンネルを介して信号を送受信するための機能を行う。すなわち、前記ＲＦ処理部２４１０は前記基底帯域処理部２４２０から提供される基底帯域信号をＲＦ帯域信号にアップコンバートした後のアンテナを介して送信し、前記アンテナを介して受信されるＲＦ帯域信号を基底帯域信号にダウンコンバートする。例えば、前記ＲＦ処理部２４１０は送信フィルター、受信フィルター、増幅器、ミキサー、オシレーター、ＤＡＣ、ＡＤＣなどを含むことができる。前記図面で、一つのアンテナだけが示されたが、前記第１接続ノードは多数のアンテナを備えることができる。また、前記ＲＦ処理部２４１０は多数のＲＦチェーンを含むことができる。ひいては、前記ＲＦ処理部２４１０はビームフォーミングを行うことができる。前記ビームフォーミングのために、前記ＲＦ処理部２４１０は多数のアンテナ又はアンテナ要素を介して送受信される信号それぞれの位相及びサイズを調節することができる。前記ＲＦ処理部は一つ以上のレイヤーを送信することによってダウンリンクＭＩＭＯ動作を行うことができる。
【０２７６】
前記基底帯域処理部２４２０は第１無線接続技術の物理階層規格によって基底帯域信号及びビット列の間変換機能を行う。例えば、データ送信時、前記基底帯域処理部２４２０は送信ビット列を符号化及び変調することによって複素シンボルを生成する。また、データ受信時、前記基底帯域処理部２４２０は前記ＲＦ処理部２４１０から提供される基底帯域信号を復調及び復号化を介して受信ビット列を復元する。例えば、ＯＦＤＭ方式に従う場合、データ送信時、前記基底帯域処理部２４２０は送信ビット列を符号化及び変調することによって複素シンボルを生成し、前記複素シンボルをサブキャリアにマッピングした後、ＩＦＦＴ演算及びＣＰ挿入を介してＯＦＤＭシンボルを構成する。また、データ受信時、前記基底帯域処理部２４２０は前記ＲＦ処理部２４１０から提供される基底帯域信号をＯＦＤＭシンボル単位で分割し、ＦＦＴ演算を介してサブキャリアにマッピングされた信号を復元した後、復調及び復号化を介して受信ビット列を復元する。前記基底帯域処理部２４２０及び前記ＲＦ処理部２４１０は上述したように信号を送信及び受信する。これによって、前記基底帯域処理部２４２０及び前記ＲＦ処理部２４１０は送信部、受信部、送受信部、通信部又は無線通信部と指称されることができる。
【０２７７】
前記通信部２４３０はネットワーク内の他のノードと通信を行うためのインターフェースを提供する。
【０２７８】
前記記憶部２４４０は前記主基地局の動作のための基本プログラム、アプリケーションプログラム、設定情報などのデータを記憶する。特に、前記記憶部２４４０は接続された端末に割り当てられたベアラーに対する情報、接続された端末から報告された測定結果などを記憶することができる。また、前記記憶部２４４０は端末に多重接続を提供するか、中断するか否かの判断基準になる情報を記憶することができる。そして、前記記憶部２４４０は前記制御部２４５０のリクエストに従って記憶されたデータを提供する。
【０２７９】
前記制御部２４５０は前記主基地局の全般的な動作を制御する。例えば、前記制御部２４５０は前記基底帯域処理部２４２０及び前記ＲＦ処理部２４１０を介して、又は前記バックホール通信部２４３０を介して信号を送受信する。また、前記制御部２４５０は前記記憶部２４４０にデータを記録し、読む。このために、前記制御部２４５０は少なくとも一つのプロセッサを含むことができる。
【０２８０】
一方、本発明の方法を説明する図面で説明の手順が必ず実行の手順と対応されず先後関係が変更されたり並列的に実行されることもできる。
【０２８１】
また、本発明の方法を説明する図面は本発明の本質を損ねない範囲内で一部の構成要素が省略されて一部の構成要素のみを含むことができる。
【０２８２】
また、本発明の方法は発明の本質を損ねない範囲内で各実施例に含まれた内容の一部又は全部が組合されて実行されることもできる。
【０２８３】
本開示が多様な実施例を参照して図示されて説明されたが、添付された請求範囲及びその等価物によって定義された本開示の思想及び範囲を逸脱せず形態及び詳細事項に対する多様な変更が成ることができることは通常の技術者に自明である。
【符号の説明】
【０２８４】
１０５〜１２０  基地局
１３５  ユーザ端末
３１０  基地局
６０１  データ先処理
６０５  ヘッダー
６１０  ヘッダー
６１５  ヘッダー
６２５  アップリンク送信リソース
７０５〜７３０  階層装置
８０５〜８１５  階層装置
１４３５  アップリンク送信リソース
１４４５  アップリンク送信リソース
１５１０  階層装置
１８１５  階層装置
２３１０  ＲＦ処理部
２３２０  基底帯域処理部
２３３０  記憶部
２３４０  制御部
２３４２  多重接続プロセッサ
２４１０  ＲＦ処理部
２４２０  基底帯域処理部
２４３０  バックホール通信部
２４４０  記憶部
２４５０  制御部
２４５２  多重接続プロセッサ
【図１】
2021527990.tif 000003
【図２】
2021527990.tif 000004
【図３】
2021527990.tif 000005
【図４】
2021527990.tif 000006
【図５】
2021527990.tif 000007
【図６】
2021527990.tif 000008
【図７】
2021527990.tif 000009
【図８】
2021527990.tif 000010
【図９】
2021527990.tif 000011
【図１０】
2021527990.tif 000012
【図１１】
2021527990.tif 000013
【図１２】
2021527990.tif 000014
【図１３】
2021527990.tif 000015
【図１４】
2021527990.tif 000016
【図１５】
2021527990.tif 000017
【図１６】
2021527990.tif 000018
【図１７】
2021527990.tif 000019
【図１８】
2021527990.tif 000020
【図１９Ａ】
2021527990.tif 000021
【図１９Ｂ】
2021527990.tif 000022
【図２０】
2021527990.tif 000023
【図２１】
2021527990.tif 000024
【図２２】
2021527990.tif 000025
【図２３】
2021527990.tif 000026
【図２４】
2021527990.tif 000027
【国際調査報告】
2021527990.tif 000028
2021527990.tif 000029